(57)【要約】      （修正有）【課題】実用的な電力系統のオンライン過渡安定度分析と、オンライン動的信頼度評価と、エネルギマージン計算とのための方法の提供。【解決手段】ＢＣＵ法を使用することにより計算された不安定平衡点（ＵＥＰ）の安定性を決定する方法に関し、この方法は、ＢＣＵ法を使用することにより計算されたＵＥＰを選択し、前記選択されたＵＥＰのＸUEPに対するテストベクトルＸtestを、下記の式により得る。  Ｘｔｅｓｔ＝Ｘｓｐｏｓｔ＋α（ＸＵＥＰ−Ｘｓｐｏｓｔ）  ここで、ＸｓｐｏｓｔはＳＥＰ、αは１に近い正の実数（例えば、０．９９）であり、故障後オリジナルシステムの軌跡をＸｔｅｓｔからシミュレートすることによってＸＵＥＰの境界条件をチェックする。【選択図】図３
2006223093.tif 000002
【特許請求の範囲】
【請求項１】
ＢＣＵ法を使用することにより計算されたＵＥＰを選択し、
前記選択されたＵＥＰのＸUEPに対するテストベクトルＸtestを、下記の式により得て、
Ｘｔｅｓｔ＝Ｘｓｐｏｓｔ＋α（ＸＵＥＰ−Ｘｓｐｏｓｔ）
ここで、ＸｓｐｏｓｔはＳＥＰ、αは１に近い正の実数であり、
故障後オリジナルシステムの軌跡をＸｔｅｓｔからシミュレートすることによってＸＵＥＰの境界条件をチェックするＢＣＵ法を使用することにより計算された不安定平衡点（ＵＥＰ）の安定性を決定する方法。
【請求項２】
オリジナルシステムの縮約モデルにおいて検討の対象となる想定故障のＣＵＥＰ及び故障後ＳＥＰを得て、
前記得られたＣＵＥＰ及び故障後ＳＥＰに基づいて、効果的な時間域法を使用して、境界条件を満たすＣＵＥＰとしての出口点を得るＢＣＵシステムにおける境界条件を満たす支配的不安定平衡点を得る方法。
【請求項３】
所定の条件に基づいて、複数のＵＥＰをコヒーレントな想定故障のＵＥＰグループに分類し、
前記分類されたＵＥＰグループから１つのＵＥＰグループを選択し、
前記選択されたＵＥＰのグループから所定の条件を有するＵＥＰを得て、
前記得られたＵＥＰに基づいて、前記選択されたＵＥＰグループ境界条件を決定するＢＣＵシステムにおける不安定平衡点（ＵＥＰ）の境界条件を決定する方法。
【請求項４】
所定の条件に基づいて、複数のＵＥＰをコヒーレントな想定故障のＵＥＰグループに分類し、
前記分類されたＵＥＰグループから１つのＵＥＰグループを選択し、
前記選択されたＵＥＰのグループから所定の条件を有するＵＥＰを得て、
前記選択されたＵＥＰのＸUEPに対するテストベクトルＸtestを、下記の式により得て、
Ｘｔｅｓｔ＝Ｘｓｐｏｓｔ＋α（ＸＵＥＰ−Ｘｓｐｏｓｔ）
ここで、ＸｓｐｏｓｔはＳＥＰ、αは１に近い正の実数であり、
故障後オリジナルシステムの軌跡をＸｔｅｓｔからシミュレートすることによってＸＵＥＰの境界条件をチェックし、前記選択されたＵＥＰグループの境界条件を決定するＢＣＵ法を使用することにより計算された不安定平衡点（ＵＥＰ）の安定性を決定する方法。
【請求項５】
境界条件に違反するコヒーレント想定故障のグループを得て、
前記得られた境界条件に違反するコヒーレント想定故障のグループからＵＥＰを計算し、
想定故障Ｌｌに対する最大のＳＥＰ距離を持つ計算されたＵＥＰＸｌＵＥＰを選択し、想定故障Ｌｓに対する最小のＳＥＰ距離を持つ計算されたＵＥＰＸｓＵＥＰを選択し、
前記選択されたＸｌＵＥＰとＸｓＵＥＰとの対応するＢＣＵ出口点をそれぞれ計算し、これらの計算値をそれぞれＸｌｂｃｕとＸｓｂｃｕとし、Ｘｌｂｃｕにおけるエネルギ（Ｖｌｂｃｕと示す）を想定故障Ｌlの臨界エネルギとして用い、Ｘｓｂｃｕにおけるエネルギ（Ｖｓｂｃｕと示す）を想定故障Ｌｓの臨界エネルギとして用い、
前記コヒーレント想定故障のグループ中の想定故障ＬｉのＳＥＰ距離をＳＥＰｉとし、想定故障Ｌｉの臨界エネルギを次式に基づいて求めるＢＣＵシステムにおける境界条件を満たす支配的不安定平衡点（ＣＵＥＰ）を求める方法。
Ｖｉｃｒ＝ａ×ＳＥＰｉ＋ｂ
ここで、
ａ＝（Ｖｌｂｃｕ−Ｖｓｂｃｕ）／（ＳＥＰｌ−ＳＥＰｓ）
ｂ＝（Ｖｓｂｃｕ×ＳＥＰｌ−Ｖｌｂｃｕ×ＳＥＰｓ）／（ＳＥＰｌ−ＳＥＰｓ）
である。
【請求項６】
ＢＣＵを用いて、想定故障リストの各対象想定故障の支配的ＵＥＰと故障後ＳＥＰとをこの想定故障リストが終了するまで計算し、
所定の条件に基づいて、各想定故障と関連する計算されたＵＥＰをコヒーレント想定故障グループに分類し、
各分類されたＵＥＰグループは、
グループ中の各想定故障のＳＥＰ距離が所定量よりも小さい場合、最大のＳＥＰ距離を持つＵＥＰが選択し、そうでなければ、最大のＳＥＰを持つＵＥＰと最小のＳＥＰ距離を持つＵＥＰとを選択し、
所定の方法にしたがって、選択されたＵＥＰの境界条件をチェックし、
チェック結果に基づいて、グループ全体のＵＥＰがオリジナルシステムの安定度境界上にあることを決定し、
前記決定ステップがグループ全体のＵＥＰがオリジナルシステムの安定度境界上にあることを決定した場合に、臨界エネルギに基づいて、直接安定度評価を実施し、コヒーレント想定故障のグループ中の各対象想定故障に対するエネルギマージンを計算し、この場合において、コヒーレント想定故障のグループ中の各対象想定故障の臨界エネルギ値は、計算されたＵＥＰにおけるエネルギ値であり、
前記選択されたＸｌＵＥＰとＸｓＵＥＰとの対応するＢＣＵ出口点をそれぞれ計算し、これらの計算値をそれぞれＸｌｂｃｕとＸｓｂｃｕとし、Ｘｌｂｃｕにおけるエネルギ（Ｖｌｂｃｕと示す）を想定故障Ｌｌの臨界エネルギとして用い、Ｘｓｂｃｕにおけるエネルギ（Ｖｓｂｃｕと示す）を想定故障Ｌｓの臨界エネルギとして用い、
前記コヒーレント想定故障のグループ中の想定故障ＬｉのＳＥＰ距離をＳＥＰｉとし、想定故障Ｌｉの臨界エネルギを次式に基づいて求め、
Ｖｉｃｒ＝ａ×ＳＥＰｉ＋ｂ
ここで、
ａ＝（Ｖｌｂｃｕ−Ｖｓｂｃｕ）／（ＳＥＰｌ−ＳＥＰｓ）
ｂ＝（Ｖｓｂｃｕ×ＳＥＰｌ−Ｖｌｂｃｕ×ＳＥＰｓ）／（ＳＥＰｌ−ＳＥＰｓ）
前記決定ステップがグループ全体のＵＥＰがオリジナルシステムの安定度境界上にないことを決定した場合に、臨界エネルギに基づいて、直接安定度評価を実施し、コヒーレント想定故障のグループ中の各対象想定故障に対するエネルギマージンを計算するるグループベースベースＢＣＵ法における方法。
【請求項７】
想定故障に基づいて、ネットワーク分離の問題を検出する第１のＢＣＵ分類器と、
前記第１のＢＣＵ分類器が前記ネットワーク分離の問題を検出しない場合に、想定故障の計算された故障前ＳＥＰと故障後ＳＥＰとに基づいて、前記想定故障の不安定性を検出する第２のＢＣＵ分類器と、
前記第２のＢＣＵ分類器が前記想定故障の不安定性を検出しない場合に、計算された想定故障の出口点に基づいて、前記想定故障の不安定性を検出する第３のＢＣＵ分類器と、
前記第３のＢＣＵ分類器が前記想定故障の不安定性を検出しない場合に、前記想定故障の最小勾配点に関する処理が所定の条件を満たしていないことを検出する第４のＢＣＵ分類器と、
前記第４のＢＣＵ分類器が前記所定の条件を満たしていないことを検出した場合に、想定故障の支配的不安定平衡点（ＣＵＥＰ）を発見することができないことを検出する第５のＢＣＵ分類器と、
前記第５のＢＣＵ分類器が支配的不安定平衡点を発見することができない場合に、計算されたＣＵＥＰでのエネルギ値に基づいて計算されたエネルギマージンに基づいて、前記想定故障の安定性を決定する第６のＢＣＵ分類器と
を具備するＢＣＵシステムにおいて使用される改良型分類器。
【発明の詳細な説明】
【技術分野】
【０００１】
本発明は電力系統の分野に関し、より詳しくは、実用的な電力系統のオンライン過渡安定度分析と、オンライン動的信頼度評価と、エネルギマージン計算とのための方法に関する。
【背景技術】
【０００２】
本来、電力系統は、自身の不安定性の元となる外乱を常に受けている。このような外乱は、事象外乱又は需要外乱と分類することが可能である。事象外乱は短絡故障であったり、発電機の損失であったり、送電線施設の負荷であったり、これらの組み合わせであったりする。需要外乱は、母線の集合での負荷変動であったり、指定された２つの集合の母線間での電力伝達であったり、これら２つの外乱の組み合わせであったりする。最近では、外乱による電力系統の停電が、ベルギー、カナダ、フランス、日本、スエーデンおよび米国を含むいくつかの国で何件か発生している。近代的なエネルギ管理システムでは、一般に、オンライン動的信頼度評価（ＤＳＡ）を実行して、ある種の発生しうる想定故障（外乱）に耐える電力系統の能力を確かめようとはしない。我々の社会が信頼性の高い電気供給にますます依存するに連れ、また、停電が発生するとその経費がますます大きくなるに連れて、安定度制限に対する違反はいずれも、巨大なインパクト（財政的および物理的インパクト）を社会に及ぼしかねない。特に規制緩和の時代にあっては、オンラインＤＳＡは、あらゆる潜在的な停電を避けるために必要とされる重要なツールである。
【０００３】
電力系統は、ある種の発生しうる外乱が発生してもそれに耐えるように計画され、操作されなければならない。現在のところ、近代的なエネルギ管理システム（ＥＭＳ）だけが、オンライン静的信頼度評価というタスクを実行するが、オンライン動的信頼度評価（ＳＳＡ）というタスクは実行しない。したがって、近代的ＥＭＳではいまだ、発生しうる想定故障（外乱）に耐える電力系統の能力を評価することは不可能である。発生しうる想定故障の集合とは、深刻な結果を伴って発生する可能性のある外乱の集合である。ＥＭＳを拡大してオンライン動的信頼度評価（ＤＳＡ）を含むようにするのが望ましく、また、そうすることが、近代的な電力系統にとって必要なこととなりつつある。しかしながら、このような拡大は意欲をそそるタスクであるが、このような拡大に対する一貫した圧力にもかかわらず、部分的には経済的な動機によって、また、部分的には環境に対する配慮によって、ＤＳＡを実行することは長い間オフラインの活動にとどまっていた。実際、計算上の観点からすれば、オンラインの静的信頼度評価では、多量の非線形代数方程式を解く必要がある。しかしながら、オンライン動的信頼度評価（ＤＳＡ）では、ＳＳＡで必要とされる非線形代数方程式に加えて、多量の非線形微分方程式を取り扱わなければならない。オンラインＤＳＡで必要とされるこのような計算努力は、ＳＳＡで必要とされるそれのほぼ３倍の分量である。
【０００４】
現在のところ、世界中でユーティリティ内で通常用いられている過渡安定度分析プログラムは、専一にステップバイステップ数値的技法に基づいている。時間域方式を介するこの電力系統過渡安定度の慣行には長い歴史がある。この時間域方式は、その性質上いくつかの利点があるとはいえ、欠点もいくつかある。例えば、時間域方式では、時間のかかる計算努力を集中的に実行する必要があり、したがって、時間域方式は、オンラインで適用するには不安定であった。時間域方式は、安定度／不安定度の程度、すなわち、システムが過渡不安定度からどの程度隔たっているか、に関する情報を提供しない。この情報は、電力系統の計画と運営の双方にとって価値のあるものである。さらにそのうえ、時間域方式は、システムの安定度を維持するための増速制御動作や予防制御動作をどのように誘導するかについての情報を提供しない。
【発明の開示】
【発明が解決しようとする課題】
【０００５】
オンラインＤＳＡは、工学上の恩典と財政上の恩典を多く提供する。その一部を列挙すると：（ｉ）潜在的な停電を回避することが可能である、（ｉｉ）その動的信頼度評価を、オフライン調査で実行されるように、予測される最悪のケースの条件ではなく、実際のシステム構成と実際の操作条件とに基づいて実行すると、電力系統の操作マージンを１０分の１以下に減少させることが可能である。オンラインＤＳＡにはこのような能力があるが、これは、現行の電力系統環境に対する需要によって、電力系統の運営条件の準備マージンが低くなっているだけではなく、その安定度限界に近づいているという点で特に重要である。（ｉｉｉ）オンラインＤＳＡによって財政的恩典をもたらすことが可能である。例えば、それによって、過渡安定度制限によって制約される伝達能力を正確に把握することが可能となる。伝達能力をこのように正確に計算することが可能であることによって、遠隔地にある製造コストの低い発電機を経済的に派遣することが可能となる。この経費節減は、中規模の電力系統にとってはかなりの金額、例えば、３００Ｋドル／日となる。
【０００６】
機能的要件という観点からすると、オンラインＤＳＡは次の要件を提供しなければならない。
【０００７】
・発生しうる想定故障のリストの迅速な安定度評価
・故障後定常状態を有しない不安定想定故障（システム崩壊につながる想定故障）の正確な識別
・負のエネルギマージンを有する不安定想定故障（システムの過渡不安定性につながる想定故障）の正確な識別
・過酷想定故障（少ないが正のエネルギマージンを持つ）の正確な識別
・エネルギマージン又は臨界故障除去時間という点での過渡不安定度に対する想定故障の選別とランク付け
・選択された不安定又は過酷な想定故障の詳細な時間域シミュレーション（想定故障の初期事象の後で、回転子の角度、回転子の回転数、電圧、電流、電力の流れなどのシステム変数を、制御と保護スキームや、他の考えられる動作上の事象、例えば、特殊保護スキームや、制御機能の動作状況又は運用者による操作に対する反応を加味して、シミュレートすべきである。）
【課題を解決するための手段】
【０００８】
オンラインＤＳＡの場合に必要とされる計算上の負担を相当量軽減するために、多くの安定な想定故障を選別し、また、詳細なシミュレーションプログラムを潜在的に不安定な想定故障に適用するだけという効果的なスキームを用いる戦略が良好であると認識されている。この戦略は、オンラインＳＳＡで実施して成功を収めており、また、オンラインＤＳＡに適用することが可能であるかもしれない。発生しうる想定故障の集合があるとすると、この戦略では、オンラインＤＳＡのタスクを次の２つの評価段階に分割する：
段階１：迅速な動的想定故障選別というタスクを実行して、明確に安定な想定故障を発生しうる想定故障の集合から選別する。
【０００９】
段階２：段階１の後で残っている想定故障の各々に対して詳細な安定度評価とエネルギマージン計算を実行する。
【００１０】
オンライン動的想定故障選別の分野における研究開発が文献中にいくつか報告されている。現在のところ、動的想定故障を選別するすべての既存の方法では、最初に、発生しうる想定故障の集合に対して、オフラインネットワークデータを用いて莫大な数値シミュレーションを実行して、動的なシステム動作の本質的安定度特徴を捕え、次に、分類器を構築して、新しく見たことのないネットワークデータに基づいてオンラインモードで想定故障を正確に分類することを試行する。このような方法では、オンライン計算要件と信頼性要件とを満足することは不可能である。
【００１１】
最近、ＢＣＵ法と呼ばれる支配的不安定平衡点を発見するシステマティックな方法が開発され、Ｃｈｉａｎｇの米国特許第５，４８３，４６２号［１］に開示された。しかしながら、いくつかの数値的調査では、ＢＣＵ法は、ＢＣＵ法で計算された不安定平衡点（ＵＥＰ）がオリジナルの故障後システムの安定度境界上に常に存在するとは限らないという点で失敗であることが分かっている。したがって、オリジナルの故障後システムの安定度境界上にない計算されたＵＥＰにおけるエネルギ値を、直接安定度評価のための臨界エネルギとして用いることは不可能である。最近、電力系統のオンライン動的想定故障選別用ＢＣＵ分類器の集合が開発されて、ＣｈｉａｎｇとＷａｎｇの米国特許第５，７１９，７８７号［２］に開示された。しかしながら、数値的シミュレーションの結果は、このＢＣＵ分類器は、不安定想定故障を安定なものと誤って分類しかねないことを示している。例えば、１７３母線式電力系統中の１０個の不安定想定故障が安定なものであると誤って分類されており、したがって、動的信頼度分類器の信頼性要件に違反している。
【００１２】
実用的電力系統のオンライン動的信頼度選別用のいくつかの改良型ＢＣＵ分類器から成る集合が開発され、［３］に開示されている。この改良型ＢＣＵ分類器は、オンライン動的信頼度評価のための［２］に記載の５つの要件を満足するだけではない。さらにそのうえ、改良型ＢＣＵ分類器は、選別された安定想定故障のエネルギマージンを計算する。
【００１３】
現時点では、ＢＣＵ法の信頼性を劣化させる唯一の要因は、ＢＣＵ法で計算した支配的ＵＥＰが常に真の（正しい）支配的ＵＥＰであるとは限らないということである。しかしながら、ＢＣＵ法の核心である１パラメータ横断条件は容易に検証可能なものではないため、ＢＣＵ法で計算されたＣＵＥＰの正確さに対して１００％の信頼性を補償することは不可能である。このため、この１パラメータ横断条件を検証するのが困難であることを回避するだけではなく、ＢＣＵ法の信頼性を改善できる新しい技法が必要とされる。本発明においては、我々は、臨界エネルギ値の計算におけるＢＣＵ法の信頼性と正確度の双方を向上させるはずの、グループベースのＢＣＵ法と名付けた、我々が発明した方法の開発を提示する。
【００１４】
我々は、我々の論議を、ＢＣＵ法の理論的基盤がそれに基づいて構築されるいわゆる１パラメータ横断条件を紹介することから始める。その後で、ＢＣＵ法で計算したＣＵＰの正確度の検証に関する重要な問題点を分析的に扱う。
【００１５】
２．１  １パラメータ横断条件
ＢＣＵ法では、１パラメータ横断条件は、ＢＣＵ法で計算されたＵＥＰが（故障後）電力系統の安定度境界上にあることを確実なものとするための十分条件である。我々は、１パラメータ横断条件は必要条件ではなく、また１パラメータ横断条件をチェックする数値的手順の開発はきわめて煩雑なものとなりかねず、また、不必要であることを指摘する。我々は、ＢＣＵ法で計算されたＵＥＰが（故障後）電力系統の安定度境界上に存在するかを検証する別の方式を採用することを提案する。この方式を説明するために、我々は最初に、ＢＣＵ法における１パラメータ横断条件を見直す。
【００１６】
所与の電力系統モデルのためのＢＣＵ法を開発するに際して、関連する人工的な縮約状態モデルを定義しなければならない。縮約状態モデルを説明するために、我々は次に示す一般的なネットワーク保存過渡安定度モデルを考える：
【数１】
2006223093.tif 000003
【００１７】
ここで、Ｕ（ｕ，ｗ，ｘ，ｙ）はスカラー関数である。オリジナルモデル（１）を考慮して、我々は、次の微分・代数系を人工的縮約状態モデルとして選ぶ。
【数２】
2006223093.tif 000004
【００１８】
ＢＣＵ法の基となる基本的な考え方を以下に説明する。ある電力系統安定度モデル（エネルギ関数を含む）を考えると、ＢＣＵ法は、最初に、以下の静的関係と動的関係が満足されるような人工的縮約状態モデルを定義することを目的として、基礎を成すモデルの特殊な特性を探索する。
【００１９】
静的特性
（Ｓ１）縮約状態モデルの平衡点の位置はオリジナルモデル（１）の平衡点の位置に対応する。例えば、（ｕ＾，ｗ＾，ｘ＾，ｙ＾，０）がオリジナルモデル（１）の平衡点である場合にだけ、（ｕ＾，ｗ＾，ｘ＾，ｙ＾）は縮約状態モデルの平衡点である（ここで、０∈Ｒｍであり、ｍは適当な正の整数である）。
【００２０】
（Ｓ２）縮約状態モデルの平衡点のタイプはオリジナルモデルのそれと同じである。例えば、（ｕｓ，ｗｓ，ｘｓ，ｙｓ，０）がオリジナルモデルの安定平衡点である場合にだけ、（ｕｓ，ｗｓ，ｘｓ，ｙｓ）は縮約状態モデルの安定平衡点である。（ｕ＾，ｗ＾，ｘ＾，ｙ＾，０）がオリジナルモデルのｋタイプの平衡点である場合だけ、（ｕ＾，ｗ＾，ｘ＾，ｙ＾）は縮約状態モデルのｋタイプの平衡点である。
【００２１】
動的特性
（Ｄ１）人工的縮約状態モデルにはエネルギ関数が存在する。
【００２２】
（Ｄ２）平衡点、例えば、（ｕ＾，ｗ＾，ｘ＾，ｙ＾）は、平衡点（ｕ＾，ｗ＾，ｘ＾，ｙ＾，０）がオリジナルのモデル（１）の安定度境界∂Ａ（ｕｓ，ｗｓ，ｘｓ，ｙｓ，０）上にある場合にだけ、縮約状態モデル（２）の安定度境界∂Ａ（ｕｓ，ｗｓ，ｘｓ，ｙｓ）上に存在する。
【００２３】
（Ｄ３）投影された故障時軌跡（ｕ（ｔ），ｗ（ｔ），ｘ（ｔ），ｙ（ｔ））が故障後縮約状態モデル（２）の安定度境界∂Ａ（ｕｓ，ｗｓ，ｘｓ，ｙｓ）に当たる点を、故障後縮約状態モデル（２）の出口点を計算するための繰り返し時間域手順に依存することなく、効率的に検出することは計算上可能である。
【００２４】
動的関係（Ｄ３）は、オリジナルモデルの出口点を計算する繰り返し時間域手順を適用する難しさを回避するＢＣＵ法を開発するうえで重要な役割を演じる。次に、ＢＣＵ法は、安定度境界の特殊構造と縮約状態モデル（２）のエネルギ関数とを探索することによって人工的縮約状態モデル（２）の支配的ＵＥＰを発見する。次に、縮約状態モデル（２）の支配的ＵＥＰをオリジナルモデル（１）の支配的ＵＥＰに関連づける。
【００２５】
ある電力系統安定度モデルを仮定すると、それに対応する種類のＢＣＵ法が存在する。これらのＢＣＵ法は、オリジナルモデルのＣＵＥＰを直接的に計算することはないが、それは、支配的ＵＥＰを計算する際に重要なオリジナルモデルの出口点を計算するには、繰り返し時間域手順を必要とするからである。そうする代わりに、ＢＣＵ法では、人工的縮約状態モデル（２）のＣＵＥＰを計算することによってオリジナルモデル（１）のＣＵＥＰを計算する。
【００２６】
我々は、次に、ある条件下では、オリジナルモデル（１）と人工的縮約状態モデル（２）とが静的関係（Ｓ１）及び（Ｓ２）並びに動的関係（Ｄ１）及び（Ｄ２）を満足することを示すある分析結果を提示する。計算スキームが開発されてＢＣＵ法に組み込まれて、動的関係（Ｄ３）が満足される。
【００２７】
定理１：（静的関係）
（ｕｓ，ｗｓ，ｘｓ，ｙｓ）を縮約状態モデル（２）の安定平衡点とする。次の条件：
（１）安定度境界∂Ａ（ｕｓ，ｗｓ，ｘｓ，ｙｓ）上のすべてのＵＥＰ（ｕｉ，ｗｉ，ｘｉ，ｙｉ）（ここで、ｉ＝１，２，…，ｋ）に対して、ゼロが（∂４Ｕ（ｕｉ，ｗｉ，ｘｉ，ｙｉ））／（∂ｕ∂ｗ∂ｘ∂ｙ）の正則値であること。
【００２８】
（２）縮約状態モデル（２）の伝達コンダクタンスは十分小さいので、（ｕ＾，ｗ＾，ｘ＾，ｙ＾，０）がオリジナルモデル（１）のｋタイプの平衡点である場合にだけ、（ｕ＾，ｗ＾，ｘ＾，ｙ＾）はｋタイプの平衡点であること。
【００２９】
定理１の主張するところは、上記の条件下では、オリジナルモデル（１）と縮約状態モデル（２）との間では、静的特性（Ｓ１）と（Ｓ２）が成立するということである。
【００３０】
縮約状態モデル（２）には数値的エネルギ関数が存在することが分かる。具体的には、モデル（２）の状態空間のあらゆるコンパクトな集合Ｓに対して、正の数α画存在し、これで、モデルの伝達コンダクタンスが｜Ｇ｜＜αを満足すれば、このコンパクトな集合Ｓ上で定義されたエネルギ関数が存在する。
【００３１】
動的特性（Ｄ２）を検査するために、我々は、１パラメータ化された系統ｄ（λ）のファミリを導入する。
【数３】
2006223093.tif 000005
【００３２】
定理１：（動的関係）
（ｕｓ，ｗｓ，ｘｓ，ｙｓ）を縮約状態モデル（２）の安定平衡点とする。次の条件：
（１）安定度境界∂Ａ（ｕｓ，ｗｓ，ｘｓ，ｙｓ）上のすべてのＵＥＰ（ｕｉ，ｗｉ，ｘｉ，ｙｉ）（ここで、ｉ＝１，２，…，ｋ）に対して、ゼロが（∂４Ｕ（ｕｉ，ｗｉ，ｘｉ，ｙｉ））／（∂ｕ∂ｗ∂ｘ∂ｙ）の正則値であること、
（２）縮約状態モデル（２）の伝達コンダクタンスは十分小さいこと、
（３）１パラメータ化されたモデルｄ（λ）（３）の安定度境界∂Ａ（ｕｓ，ｗｓ，ｘｓ，ｙｓ，０）上の平衡点の安定多様体と不安定多様体のすべての交点は、λ∈［０，１］に対する横断条件を満足すること、
を満足すると、
［１］平衡点（ｕｉ，ｗｉ，ｘｉ，ｙｉ，０）がモデル（１）の安定度境界安定度境界∂Ａ（ｕｓ，ｗｓ，ｘｓ，ｙｓ，０）上にある場合だけ、平衡点（ｕｉ，ｗｉ，ｘｉ，ｙｉ）はモデル（２）の安定度境界安定度境界∂Ａ（ｕｓ，ｗｓ，ｘｓ，ｙｓ）上にある。
【００３３】
［２］モデル（２）の安定度境界∂Ａ（ｕｓ，ｗｓ，ｘｓ，ｙｓ）は、安定度境界∂Ａ（ｕｓ，ｗｓ，ｘｓ，ｙｓ）上のすべての平衡点（ｕｉ，ｗｉ，ｘｉ，ｙｉ）（ここで、ｉ＝１，２，…，）の安定多様体の和集合である；すなわち：
∂Ａ（ｕｓ，ｗｓ，ｘｓ，ｙｓ）＝∪Ｗｓ（ｕｉ，ｗｉ，ｘｉ，ｙｉ）          （４）
［３］モデル（１）の安定度境界∂Ａ（ｕｓ，ｗｓ，ｘｓ，ｙｓ，０）は、安定度境界∂Ａ（ｕｓ，ｗｓ，ｘｓ，ｙｓ，０）上のすべての平衡点（ｕｉ，ｗｉ，ｘｉ，ｙｉ，０）（ここで、ｉ＝１，２，…，）の安定多様体の和集合である；すなわち：
∂Ａ（ｕｓ，ｗｓ，ｘｓ，ｙｓ，０）＝∪Ｗｓ（ｕｉ，ｗｉ，ｘｉ，ｙｉ，０）          （５）
定理１の主張するところは、上記の条件、すなわち条件（１）〜（３）の下では、動的特性（Ｄ２）が満足されるということである。さらにそのうえ、双方のモデルの安定度境界は完全に特徴化されている。条件（１）は一般的な特性であり、条件（２）と（３）はそうではない。我々は、条件（２）と（３）をチェックすることなく動的特性（Ｄ２）をチェックする方式を提示する。
【００３４】
概念ネットワーク保存ＢＣＵ法
定理１と定理１とは、人工的縮約状態モデル（２）の支配的ＵＥＰを介してオリジナルネットワーク保存モデル（１）の支配的ＵＥＰを発見するための理論的基盤となるものである。ネットワーク保存モデルのための概念ＢＣＵ法は、次の中で提示される：
ネットワーク保存モデルのための概念ＢＣＵ法
ステップ１．ネットワーク保存モデル（１）の（維持されている）故障時軌跡（ｕ（ｔ），ｗ（ｔ），ｘ（ｔ），ｙ（ｔ），ｚ（ｔ））から、ネットワーク保存モデルの投影された軌跡（ｕ（ｔ），ｗ（ｔ），ｘ（ｔ），ｙ（ｔ））が故障後縮約状態モデル（２）の安定度境界から脱出する出口点（ｕ＊，ｗ＊，ｘ＊，ｙ＊）を検出する。
【００３５】
ステップ２．点（ｕ＊，ｗ＊，ｘ＊，ｙ＊）を初期状態として用いて、故障後縮約状態モデル（２）を積分して、出口点（ｕ＊，ｗ＊，ｘ＊，ｙ＊）を含む安定多様体を持つＵＥＰを発見する。
【００３６】
ステップ３．ネットワーク保存モデル（１）の故障時軌跡を基準とした支配的ＵＥＰは、（ｕ＊ｃｏ，ｗ＊ｃｏ，ｘ＊ｃｏ，ｙ＊ｃｏ，０）である。
【００３７】
ＢＣＵ法の本質は、効果的に計算可能な支配的ＵＥＰを持つ縮約状態モデル（２）の支配的ＵＥＰを計算することによってオリジナルモデル（１）の支配的ＵＥＰを計算することである。概念ＢＣＵ法のステップ１と２とでは、縮約状態モデルの支配的ＵＥＰ（すなわち、投影された故障時軌跡の支配的ＵＥＰ）を発見する。ステップ３では、縮約状態モデル（２）の支配的ＵＥＰをオリジナルモデル（１）の支配的ＵＥＰと関連づける。ＢＣＵ法は、基礎を成すオリジナルの電力系統化と安定度モデルの状態空間においてはＣＵＥＰの計算を実行しない。その理由は、ＣＵＥＰの計算にとってキーとなるオリジナルモデルの出口点を計算するというタスクには、繰り返し時間域手順を必要とするからである。そうする代わりに、ＢＣＵ法では、人工的縮約状態モデルのＣＵＥＰを計算することによってオリジナルモデルのＣＵＥＰを計算する。そのため、ＢＣＵ法によるＣＵＥＰ計算には、成功する度合いが変動する。ＢＣＵ法で計算されたＵＥＰは常にＣＵＥＰであるとは限らない。
【００３８】
１パラメータ横断条件は、概念ＢＣＵ法の理論的基盤において重要な役割を演ずる。１パラメータ横断条件に違反すると、支配的ＵＥＰを計算する際にＢＣＵ法が不正確なものとなる。しかしながら、実用的な電力系統モデルは複雑であるため、１パラメータ横断条件は常に満足されるとは限らない。ＢＣＵ法が正しい安定度評価を与えるのに失敗したことを示すいくつかの反証例がある。
【００３９】
上記の分析に基づいて、我々は別の方式を採用する。１パラメータ横断条件と小伝達コンダクタンス条件とをチェックする代わりに、ＵＥＰ（ｕ＊ｃｏ，ｗ＊ｃｏ，ｘ＊ｃｏ，ｙ＊ｃｏ，０）がオリジナルモデルの安定度境界上に存在するかどうかを直接にチェックする、すなわち、動的特性（Ｄ２）をチェックすることを我々は提案する。我々はまた、動的特性（Ｄ２）を境界特性と呼ぶ。
【００４０】
境界特性は高ダンピングシステムには当てはまるが、低ダンピングシステムには当てはまらないことが分かる。それを越えると境界特性が当てはまる臨界ダンピング値をどのように決定するかという問題点は未解決のままである。臨界ダンピング値は、ネットワークのトポロジ、負荷条件及び用いられるシステムモデルを含む様々な要因によって異なるように思われる。
【００４１】
ダンピング項と境界特性
１パラメータ横断条件下では、ＢＣＵ法で正確なＣＵＥＰを計算することが可能であることが分かっている。しかしながら、１パラメータ横断条件の検証も容易なタスクではない。現時点では、改良型ＢＣＵ分類器の開発によって、ＢＣＵ法の信頼性を劣化させる唯一の要因（すなわち、ＢＣＵ法では、不正確な安定度評価が提供される）は、ＢＣＵ法で計算された不安定平衡点（ＵＥＰ）が常に、真の（正しい）支配的ＵＥＰであるとは限らないということである。さらにそのうえ、ＢＣＵ法で計算されたＵＥＰは境界条件を満足することさえない。我々の主張では、計算されたＵＥＰ（想定故障に対するそれ）は、計算されたＵＥＰがオリジナルの想定故障後システムの安定度境界上に存在すれば、境界条件を満足すると言われている。
【００４２】
この要因は、ＢＣＵ法ではあるタイプの想定故障に対してはなぜ不正確な安定度評価が提供されるという理由を明確に説明するものである。ＢＣＵ法が失敗するのは、不十分なシステムダンピングのため境界条件に違反するからである。技術的に言えば、不十分なシステムダンピングによって、ＢＣＵ法を基礎を成すパラメータ化された動的システムにおいてグローバル分岐が発生する。また一方では、ＢＣＵ法は、境界条件が満足されれば非常に良好に実行され、加えて、システムダンピング項が十分大きければ境界条件が満足されることが分かっている。
【００４３】
ＢＣＵ法では、あるタイプの想定故障（ケース）に対しては不正確な安定度評価が提供される。解説目的で、我々は、ＢＣＵ法が場合によっては、多重スイング現象又は低ダンピング（ｌｉｇｈｔ  ｄａｍｐｉｎｇ）のために正しい安定度評価を提供することに失敗する数値結果を提示する。いずれの場合も、ＢＣＵ法は境界条件に違反したために失敗する。ＢＣＵ法は、境界条件が満足されればうまくいき、さらにそのうえ、システムダンピング項が十分大きければ境界条件が満足されることが分かるであろう。
【００４４】
いくつかの数値例
我々は、ＢＣＵ法を適用して、テストシステムの想定故障を分析する。我々は、ＢＣＵ法が失敗する例をいくつか提示して、この失敗の発生する理由を指摘する。
【００４５】
表１に、ＢＣＵ法が正しい安定度評価を提供するのに失敗するいくつかのケースを示す。我々は、このようなケースはすべて多重スイング現象を示しており、また、境界特性が満足されていないことを指摘する。表１にリストアップされているすべてのケースは同じグループ、すなわち、グループ＃４に属している。我々はまた、ＢＣＵ法がうまくいく例をいくつか表２に提示する。表２中のケースはすべて、コヒーレント想定故障からなる２つのグループ、すなわち、グループ＃１３とグループ＃４３に属し、また、これらはすべて境界条件を満足することを指摘すべきである。
【表１】
2006223093.tif 000006
【００４６】
【表２】
2006223093.tif 000007
【００４７】
【表３】
2006223093.tif 000008
【００４８】
ダンピング係数
我々は、安定度評価の際のＢＣＵ法の信頼性は、システムのダンピングが大きくなるに連れて増大する（すなわち、より多くの想定故障に対して効く）ことを観察した。例えば、ＢＣＵ法は、表３にリストアップされた想定故障に対しては、ダンピングが少ないため失敗するが、表４に示すように、システムのダンピング係数が増すに連れて、これらの想定故障の内の１部のもの、特に、グループ＃５２に対しては効き目がある。この表から、境界距離が１．０に近づく、言い換えれば、計算されたＣＵＥＰが、オリジナルシステムの安定度境界に近づくことが分かる。さらにそのうえ、このような想定故障が発生する対象電力系統の時間域動作が改善されるが、具体的には、過渡安定度が向上する。
【００４９】
我々がダンピング効果をさらに増大させるに連れて、ＢＣＵ法の信頼性がさらに改善される。表５に、システムのダンピング係数が倍となっている他は表４のケースと同じケースの場合のＢＣＵ法の性能をリストアップする。ＢＣＵ法で、コヒーレント想定故障の内でグループ＃２７、＃３９及び＃５２の想定故障の境界特性を満足するＣＵＥＰを計算する。加えて、グループ＃３５の各想定故障に対する計算されたＵＥＰの境界距離はすべて１．０に近い値である。この結果は、システムのダンピング係数が増すに連れて、ＢＣＵ法による計算されたＣＵＥＰの境界距離が増大し、また、ＢＣＵ法による想定故障に対する境界条件の満足度も増大する。さらにそのうえ、このような想定故障が発生する対象電力系統の過渡安定度が向上することを明瞭に示している。
【表４】
2006223093.tif 000009
【００５０】
【表５】
2006223093.tif 000010
【００５１】
状態空間という観点からすると、システムのダンピングの増加によって計算されたＵＥＰの境界距離が増大するということは、過渡安定度に対してダンピング項が影響を及ぼすこと、すなわち、故障後ＳＥＰの安定度領域を拡大することによって過渡安定度を向上させることを明らかに示しており、したがって、臨界故障除去時間とエネルギマージンとを増大させる。
【００５２】
これらの観察によって、境界特性がチェックされるグループベースのＢＣＵ法が開発されることになる。境界特性を効率的にチェックするスキームを開発するために、コヒーレント想定故障からなるグループという概念が提案され、探索される。いくつかのグループ特性を探索して調査する。このようなグループ特性は、グループベースのＢＣＵ法の開発に取り入れられる。グループベースのＢＣＵ法はまた、境界特性が満足されないような想定故障の臨界エネルギを計算するスキームを含む。
【００５３】
境界特性の導入によって、計算されたＣＵＥＰの正しさを、チェックするのが非常に難しい１パラメータ横断条件をチェックする代わりに、その境界特性をチェックすることによって、例えば、ＢＣＵ法で、チェックすることが可能である。計算されたＣＵＥＰの境界距離を計算することによって、計算されたＣＵＥＰがオリジナルシステムの安定度境界上に存在するかどうか検証することが可能であり、計算されたＣＵＥＰの境界が１．０であれば、ＣＵＥＰはオリジナルの故障後システムの安定度境界上にあり、そうでなければ、安定度境界上にはない。
【００５４】
境界特性はグループ特性である（グループ特性とは、そのグループ中のメンバーのすべてに対して成り立つ特性のことである）ことが分かり、したがって、コヒーレント想定故障から成る各グループ中の各計算されたＵＥＰに対して境界距離を計算する必要はない。コヒーレント想定故障のグループ中のＵＥＰの境界距離を計算すれば、そのグループ中のすべての想定故障の境界距離を十分決定することが可能である。グループ特性を探索すると、後で説明するように計算努力がかなり減少する。
【００５５】
我々は本発明において、グループベースのＢＣＵ−ＤＳＡと呼ばれる、近代的なエネルギ管理システムにおいて実用的な電力系統のオンライン動的信頼度評価を実行し、また、エネルギマージンの計算を実行する新規なシステムを説明する。この新規なシステムは、グループベースのＢＣＵ法（及び改良型ＢＣＵ分類器）と詳細時間域シミュレーションプログラムとの双方の利点を効果的に探索することによって、オンライン動的信頼度評価とエネルギマージン計算との要件を満たすものである。このアーキテクチャには次の３つの主要なコンポーネントがある：（ｉ）シーケンスを成す改良型ＢＣＵ分類器であり、その主要な機能は、発生しうる想定故障の集合から明確に安定であるすべての想定故障を選別し、また、（潜在的に）不安定な想定故障のすべてを捕える分類器と、（ｉｉ）前記の（ｉ）中のシーケンスを成す改良型ＢＣＵ分類器によって捕えられた（潜在的に）不安定な想定故障と不確定想定故障との双方の安定度分析とエネルギマージン計算とのためのＢＣＵ法補助時間域プログラムと、（ｉｉｉ）グループベースのＢＣＵ法と、である。
【００５６】
上記の緊急の必要性を満たすため、本発明は、実用的な電力系統のオンライン動的信頼度評価（ＤＳＡ）とエネルギマージン計算とを実行する信頼性が高く効果的なシステム、すなわち、グループベースのＢＣＵ−ＤＳＡを提供する。特に、本発明は次のものを開発する：
（ｉ）境界特性をチェックする検証スキーム
（ｉｉ）ＢＣＵ出口点法
（ｉｉｉ）コヒーレント想定故障のグループ
（ｉｖ）グループベースの検証スキーム
（ｖ）グループベースのＢＣＵ出口点法
（ｖｉ）グループベースのＢＣＵ法
（ｖｉｉ）改良型ＢＣＵ分類器
（ｖｉｉｉ）グループベースのＢＣＵ−ＤＳＡ
３．１  検証スキーム
本発明において、我々は、ＢＣＵ法によって計算されたＵＥＰの境界条件をチェックする検証スキームを提案する。この検証スキームは、１パラメータ横断条件をチェックするという非常に困難なタスクを克服するものである。我々は、ＵＥＰ、例えば、ＸＵＥＰがＳＥＰ、例えば、Ｘｓｐｏｓｔの一般的非線形動的システムの安定度境界上に存在するかどうかをチェックする計算手順を提示する。
【００５７】
ステップ１．（選択ステップ）
ある点（テストベクトル）を選択する。実際に実施する際には、我々は選択された各ＵＥＰ、例えば、ＸＵＥＰのテストベクトルを、次式を用いて計算する：
Ｘｔｅｓｔ＝Ｘｓｐｏｓｔ＋α（ＸＵＥＰ−Ｘｓｐｏｓｔ）
ここで、αは１よりも小さい１．０に近い正の数であり、例えば、０．９９である。Ｘｓｐｏｓｔは想定故障後のＳＥＰである。
【００５８】
ステップ２．（チェックステップ）
故障後オリジナルシステムの軌跡をＸｔｅｓｔからシミュレートすることによってＸＵＥＰの境界条件をチェックする。一意に定まるシステム軌跡がＸｓｐｏｓｔに収束すれば、ＸＵＥＰは故障後オリジナルシステムの安定度境界上にあり、そうでなければ、この境界上にはない。
【００５９】
３．２  ＢＣＵ出口点法
計算されたＵＥＰの境界条件に違反すると、計算されたＵＥＰはオリジナルの（故障後の）システムの安全度境界上には存在しない。したがって、計算されたＵＥＰでのエネルギ値を臨界エネルギとして用いるのは不適切である。すると、この問題点は、境界条件に違反すると臨界エネルギとして用いることが可能なエネルギ値を持つ点をどのように発見するかということになる。本発明において、我々はこの問題点に対処するためにＢＣＵ出口点法を開発する。
【００６０】
ＢＣＵ出口点法
所与の条件：ある電力系統過渡安定度モデルと、対象想定故障と、故障後電力系統モデルのエネルギ関数を考える。
【００６１】
ステップ１．ＢＣＵ法を用いて、対象想定故障のＣＵＥＰと故障後ＳＥＰとを計算する。
【００６２】
ステップ２．ステップ１での計算されたＣＵＥＰに対して検証手順を適用する。境界条件が満たされれば、対象想定故障の臨界エネルギは計算されたＣＵＥＰでのエネルギ値であり、ステップ４に進み、そうでなければ、次のステップに進む。
【００６３】
ステップ３．効果的な時間域ベースの方法を適用して、対応するＢＣＵ出口点を計算する。対象想定故障の臨界エネルギは、ＢＣＵ出口点でのエネルギ値である。
【００６４】
ステップ４．臨界エネルギ値に基づいて、安定度評価を実行して、対象想定故障のエネルギマージンを計算する。
【００６５】
３．３  コヒーレント想定故障のグループ
本発明では、我々は、コヒーレント想定故障から成るグループという概念を開発し、また、このコヒーレント想定故障グループ内でもいくつかの特性を探索する。我々は、想定故障のグループに対するＢＣＵ法で計算されたＵＥＰは互いに近づく傾向があることを発見する。このようなＵＥＰは状態空間中では互いに近接しており、他方、この想定故障グループの故障の位置は地理的空間中で互いに近接している。この想定故障グループは、コヒーレント想定故障のグループと呼ばれる。我々はまた、想定故障のリストをコヒーレント想定故障のグループに分類することが可能であることを発見する。多くの想定故障を含んでいるグループもあれば、少ない想定故障を含んでいるグループもある。
【００６６】
我々は、コヒーレント想定故障の各グループ内で、ＳＥＰ距離が最大であるＵＥＰとＳＥＰ距離が最小のＵＥＰとによって、そのグループ中のすべてのＵＥＰに対する境界特性が識別されることを発見するが、より具体的には、我々は次のグループ特性を発見する：
グループ特性１：ＳＥＰ距離が最大であるＵＥＰとＳＥＰ距離が最小のＵＥＰの双方が境界条件を満足すれば、コヒーレントグループ全体のＵＥＰがすべて、対応するオリジナルシステムの安定度境界上に存在する。言い換えれば、コヒーレントグループの「双方の端部」にあるＵＥＰが対応するオリジナルシステムの安定度境界上にあれば、グループ全体のＵＥＰもまた、オリジナルシステムの安定度境界上にある。
【００６７】
グループ特性２：ＳＥＰ距離が最大であるＵＥＰとＳＥＰ距離が最小のＵＥＰのどちらも境界条件を満足しなければ、グループ全体のＵＥＰもまた、オリジナルシステムの安定度境界上にはない。
【００６８】
最大のＳＥＰ距離と最小のＳＥＰ距離との間の差が小さい場合には、グループ特性１は次のように表すことが可能である：
グループ特性１−Ａ：ＳＥＰ距離が最大であるＵＥＰが境界条件を満足すれば、コヒーレントグループ全体のＵＥＰはすべて、対応するオリジナルシステムの安定度境界上にある。
【００６９】
最大のＳＥＰ距離と最小のＳＥＰ距離との間の差が小さい場合には、グループ特性２は次のように表すことが可能である：
グループ特性２−Ａ：ＳＥＰ距離が最大であるＵＥＰが境界条件を満足しなければ、コヒーレントグループ全体のＵＥＰのどれもが、対応するオリジナルシステムの安定度境界上にない。
【００７０】
我々は、コヒーレント想定故障のグループをいくつかのコヒーレント想定故障グループに再分類し、これで、特性１と特性２とが満足されるようにするための指針を開発する。
【００７１】
再分類のための指針：上記２つのＵＥＰの内の一方、すなわち、ＳＥＰ距離が最大であるＵＥＰとＳＥＰ距離が最小のＵＥＰの内のどちらかが境界条件を満足し、他方が満足しない場合、コヒーレントグループ全体の内で、境界条件を満足するＵＥＰもあれば、満足しないＵＥＰもある。
【００７２】
想定故障のリストがあると、我々はＢＣＵ法を適用して、この想定故障リスト中の各想定故障に対する支配的ＵＥＰを計算する。次に、我々は、想定故障リスト中のすべての想定故障を、計算されたＵＥＰの座標とそのＳＥＰ距離との間の差に基づいてコヒーレント想定故障のグループに分類する。いくつかの分類スキームを開発することが可能であるが、これらは特性１と特性２とを満足すべきである。
【００７３】
３．４  グループベースの検証スキーム
本発明で、我々は、コヒーレントグループ中の（想定故障に対する）各計算されたＵＥＰがその対応するオリジナル（故障後）システムの安定度境界上にあるかどうかをチェックする効果的な数値的手順を開発する。特に、我々は、本発明において、コヒーレント想定故障グループに対する境界特性をチェックするグループベースの手順を開発する。
【００７４】
グループベースの検証手順
ステップ０：あるコヒーレント想定故障グループがあるとする。
【００７５】
ステップ１．（選択ステップ）
このコヒーレント想定故障グループに対して、このコヒーレント想定故障グループから１つの想定故障又は２つの想定故障を境界特性の検証のために選択する次の判定基準を我々は提案する。コヒーレント想定故障中の各想定故障のＳＥＰ距離が小さい、例えば、３度未満である場合、そのグループ中の最大のＳＥＰ距離を持つ計算されたＵＥＰを選択し、そうでなければ、最大のＳＥＰ距離を持つ計算されたＵＥＰとそのグループ中で最小のＳＥＰ距離を持つ計算されたＵＥＰを選択する。
【００７６】
ステップ２．（チェックステップ）
選択ステップで選択された想定故障に対応する計算されたＵＥＰの境界条件をチェックする。我々は、選択されたＵＥＰ、例えば、ＸＵＥＰに対してテストベクトルを次式を用いて計算する：
Ｘｔｅｓｔ＝Ｘｓｐｏｓｔ＋α（ＸＵＥＰ−Ｘｓｐｏｓｔ）
ここで、Ｘｓｐｏｓｔは、ＸＵＥＰに対応する想定故障の故障後ＳＥＰ、αは１に近い正の実数。Ｘｔｅｓｔから始まる故障後システム軌跡をシミュレートして評価する。この故障後システム軌跡がＸｓｐｏｓｔに収束すれば、選択されたＵＥＰ、すなわち、ＸＵＥＰは境界条件を満足し、そうでなければ、満足しない。
【００７７】
ステップ３．（評価ステップ）
ステップ２のチェックの結果に基づいて、次の評価結果が得られる。
【００７８】
（１）選択されたＵＥＰが境界条件を満足すれば、全グループ中のコヒーレント想定故障の計算されたＵＥＰは、（オリジナルの）故障後システムの安定度境界上に存在する。
【００７９】
（２）選択されたＵＥＰの内のどれもが境界条件を満足しなければ、グループ全体のＵＥＰは（オリジナルの）故障後システムの安定度境界の外にある。
【００８０】
３．５  グループベースのＢＣＵ出口点法
我々は、本発明において、１部のグループ特性を探索して、コヒーレントグループ中の各想定故障に対してＢＣＵ出口点を計算するという難しさを克服することによってグループベースのＢＣＵ出口点法を開発する。境界条件に違反するコヒーレント想定故障のグループがあるとして、我々は、そのグループ中の想定故障毎に臨界エネルギを計算する次のグループベースのＢＣＵ出口点法を開発する。次に、このグループベースのＢＣＵ出口点法のフローチャートを示す（図３）。
【００８１】
グループベースのＢＣＵ出口点法
所与の条件：境界条件に違反するコヒーレント想定故障のグループがあるとして、次のステップによって、コヒーレントグループ中の想定故障毎に臨界エネルギを決定する。
【００８２】
ステップ１．（選択ステップ）
このコヒーレント想定故障のグループから、想定故障、例えば、Ｌｌに対する最大のＳＥＰ距離を持つ計算されたＵＥＰ、例えば、ＸｌＵＥＰを選択し、また、想定故障、例えば、Ｌｓに対する最小のＳＥＰ距離を持つ計算されたＵＥＰ、例えば、ＸｓＵＥＰを選択する。
【００８３】
ステップ２．（ＢＣＵ出口点）
それぞれＸｌＵＥＰとＸｓＵＥＰとの対応するＢＣＵ出口点を計算する。それらの計算値をそれぞれＸｌｂｃｕとＸｓｂｃｕと示す。
【００８４】
ステップ３．（臨界エネルギ）
Ｘｌｂｃｕにおけるエネルギ（Ｖｌｂｃｕと示す）を想定故障Ｌｓの臨界エネルギとして用いる。同様に、Ｘｓｂｃｕにおけるエネルギ（Ｖｓｂｃｕと示す）を想定故障Ｌｓの臨界エネルギとして用いる。
【００８５】
ステップ４．（他の想定故障の臨界エネルギ）
上記のコヒーレント想定故障のグループ中の想定故障、例えば、ＬｉのＳＥＰ距離をＳＥＰｉとする。すると、想定故障Ｌｉの臨界エネルギは次式のとおりである。
【００８６】
Ｖｉｃｒ＝ａ×ＳＥＰｉ＋ｂ
ここで、
ａ＝（Ｖｌｂｃｕ−Ｖｓｂｃｕ）／（ＳＥＰｌ−ＳＥＰｓ）
ｂ＝（Ｖｓｂｃｕ×ＳＥＰｌ−Ｖｌｂｃｕ×ＳＥＰｓ）／（ＳＥＰｌ−ＳＥＰｓ）
３．６  グループベースのＢＣＵ法
我々は、本発明において、グループベースの検証スキーム、すなわち、本発明のグループベースのＢＣＵ出口点法を統合したグループベースのＢＣＵ法を開発する。この発明されたグループベースのＢＣＵ法は、ＢＣＵ法の信頼性を改善するだけではなく、直接過渡安定度評価におけるＢＣＵ法の過小評価性をも改善する。
【００８７】
グループベースのＢＣＵ法
ステップ１．ＢＣＵ法を用いて、想定故障リスト中の各対象想定故障の支配的ＵＥＰと故障後ＳＥＰとを、この想定故障リストが終了するまで、計算する。
【００８８】
ステップ２．（分類ステップ）各想定故障と関連する計算されたＵＥＰを、特性１と特性２とを満足するようなコヒーレント想定故障グループに分類する。
【００８９】
各ＵＥＰグループに対して、次のステップを実行する：
ステップ３．（選択ステップ）グループ中の各想定故障のＳＥＰ距離が小さい、例えば、３度未満の場合、最大のＳＥＰ距離を持つＵＥＰが選択され、そうでなければ、最大のＳＥＰを持つＵＥＰと最小のＳＥＰ距離を持つＵＥＰとが選択される。
【００９０】
ステップ４．（チェックステップ）選択されたＵＥＰの境界特性をチェックする。実際に実施する場合、我々は選択された各ＵＥＰ、例えば、ＸＵＥＰに対するテストベクトルを次式を用いて計算する。
【００９１】
Ｘｔｅｓｔ＝Ｘｓｐｏｓｔ＋α（ＸＵＥＰ−Ｘｓｐｏｓｔ）
ここで、α＜１は正の数であって１．０に近い、例えば０．９９という値であり、ＸｓＰＯＳＴは想定故障の故障後ＳＥＰ、ＸＵＥＰは選択されたＵＥＰである。Ｘｔｅｓｔから始まる故障後システム軌跡をシミュレートして評価する。故障後システム軌跡がＸｓｐｏｓｔに収束すれば、選択されたＵＥＰ、すなわち、ＸＵＥＰは境界特性を満足し、そうでなければ、満足しない。
【００９２】
ステップ５．選択されたＵＥＰが境界特性を満足すれば、グループ全体のＵＥＰはオリジナルシステムの安定度境界上にあり、ステップ６に進む。選択されたＵＥＰのどれもが境界特性を満足しない場合、グループ全体のＵＥＰは安定度境界外にあり、ステップ７に進む。
【００９３】
ステップ６．コヒーレント想定故障のグループ中の各対象想定故障の臨界エネルギ値は、計算されたＵＥＰにおけるエネルギ値であり、ステップ１１に進む。
【００９４】
ステップ７．最大のＳＥＰ距離を有する選択されたＵＥＰを想定故障、例えば、Ｌｌに対するＸｌＵＥＰとし、また、最小のＳＥＰ距離を有する選択されたＵＥＰを想定故障、例えば、Ｌｓに対するＸｓＵＥＰとする。
【００９５】
ステップ８．（ＢＣＵ出口点）
それぞれＸｌＵＥＰとＸｓＵＥＰとに対する対応するＢＣＵ出口点を計算する。これらをそれぞれＸｌｂｃｕとＸｓｂｃｕと示す。
【００９６】
ステップ９．（臨界エネルギ）
Ｘｌｂｃｕにおけるエネルギ（Ｖｌｂｃｕと示す）を想定故障Ｌｓの臨界エネルギとして用いる。同様に、Ｘｓｂｃｕにおけるエネルギ（Ｖｓｂｃｕと示す）を想定故障Ｌｓの臨界エネルギとして用いる。
【００９７】
ステップ１０．（他の想定故障の臨界エネルギ）
上記のコヒーレント想定故障のグループ中の想定故障、例えば、ＬｉのＳＥＰ距離をＳＥＰｉとする。すると、想定故障Ｌｉの臨界エネルギは次式のとおりである。
【００９８】
Ｖｉｃｒ＝ａ×ＳＥＰｉ＋ｂ
ここで、
ａ＝（Ｖｌｂｃｕ−Ｖｓｂｃｕ）／（ＳＥＰｌ−ＳＥＰｓ）
ｂ＝（Ｖｓｂｃｕ×ＳＥＰｌ−Ｖｌｂｃｕ×ＳＥＰｓ）／（ＳＥＰｌ−ＳＥＰｓ）
ステップ１１．臨界エネルギに基づいて、直接安定度評価を実施し、コヒーレント想定故障のグループ中の各対象想定故障に対するエネルギマージンを計算する。
【００９９】
３．７  改良型ＢＣＵ分類器
改良型ＢＣＵ分類器の設計の主要目的は、［３］で説明したオンライン動的想定故障選別の５つの要件をすべてが満足されることを確実なものとすることである。
【０１００】
入力：動的信頼度評価のための関連データを持つ電力系統モデルと対象想定故障
出力：電力系統の想定故障に対する安全度評価とエネルギマージン値
この改良型ＢＣＵ分類器は、次のステップで実行される（図４を参照）：
ステップ１．ＢＣＵ分類器Ｉ：想定故障をこの改良された分類器に送ると、プログラムは最初に、ネットワーク分離の有無という問題を検出する分類器であるＢＣＵ分類器Ｉをチェックする。ＢＣＵ分類器Ｉでは、電力系統が想定故障のためいくつかの部分に分離されたときは想定故障下にある電力系統はきわめて不安定であると考えられる。そのため、大きい負のエネルギマージン、例えば−９９９、が対象想定故障に割り当てられて、計算を停止するが、そうでなければ、対象想定故障はＢＣＵ分類器ＩＩに送られる。
【０１０１】
ステップ２．ＢＣＵ分類器ＩＩ−ＡとＢＣＵ分類器ＩＩ−Ｂ：対象想定故障下にある故障後ＳＥＰを計算する。故障後ＳＥＰが発見されなければ又は故障後ＳＥＰは発見されたが故障前ＳＥＰからはるかに隔たっていれば、分類器２−Ａでは、対象想定故障は非常に不安定であると評価され、大きい負のエネルギマージン、例えば−９９９が、対象想定故障に割り当てられて計算を終了する。故障後ＳＥＰが故障前ＳＥＰからあまり隔たっていなければ、分類器２−Ｂにより対象想定故障はやはり非常に不安定であると考えられるが、予備評価を検証するには時間域シミュレーションが必要である。それが実際不安定であれば、大きい負のエネルギマージン、例えば−９９９、を対象想定故障に割り当てて手順を停止するが、そうでなければ、対象想定故障はＢＣＵ分類器ＩＩＩに送られる。
【０１０２】
ステップ３．ＢＣＵ分類器ＩＩＩ：出口点を計算する。出口点が指定された期間内で発見されなくて、この指定された期間の終点におけるポテンシャルエネルギが正でない場合、ＢＣＵ分類器ＩＩＩにより対象想定故障は非常に安定であると評価され、大きいエネルギマージン、例えば９９９、を対象想定故障に割り当てて計算を終了し、そうでなければ、対象想定故障はＢＣＵ分類器ＩＶに送られる。
【０１０３】
ステップ４．ＢＣＵ分類器ＩＶ：最小勾配点（ＭＧＰ）を計算する。射線調整（ｒａｙ  ａｄｊｕｓｔｍｅｎｔ）の手順が失敗するか又はＭＧＰを指定されたステップ数以内で発見することが不可能である場合、ＢＣＵ分類器ＩＶより対象想定故障がＢＣＵ法補助の時間域シミュレーションエンジンに送られて、安定度評価とエネルギマージン計算が実行されて、計算が終了し、そうでなければ、対象想定故障はＢＣＵ分類器Ｖに送られる。
【０１０４】
ステップ５．ＢＣＵ分類器Ｖ：支配的ＵＥＰを計算する。支配的ＵＥＰを発見できない場合、ＢＣＵ分類器Ｖより対象想定故障がＢＣＵ法補助の時間域シミュレーションエンジンに送られて、安定度評価とエネルギマージン計算が実行されて、計算が終了するが、そうでなければ、対象想定故障はＢＣＵ分類器ＶＩに送られる。
【０１０５】
ステップ６．ＢＣＵ分類器ＶＩ：エネルギマージンを、計算された支配的ＵＥＰにおけるエネルギ値に基づいて計算する。エネルギマージンが正であれば、対象想定故障は安定であると評価され、そうでなければ、不安定であると評価される。これで、計算は完了する。
【０１０６】
改良型ＢＣＵ分類器のステップ６を修正して、次に説明するようにＢＣＵ法の過小評価性を改善することが可能である：
ステップ７．ＢＣＵ分類器ＶＩ：エネルギマージンを、計算された支配的ＵＥＰにおけるエネルギ値に基づいて計算する。エネルギマージンが負であれば、このケースは不安定であると評価されて、この評価を検証するために、時間域シミュレーションエンジンが必要とされる。この評価が時間域エンジンによって逆転されると、そのエネルギマージンを、ＢＣＵ法補助の時間域計算エンジンを用いて再計算する。エネルギマージンが正であれば、対応するエネルギマージンと安定度評価は不変のまま保持され、計算が終了する。
【０１０７】
３．８  グループベースのＢＣＵ−ＤＳＡ
本発明は、実用的な電力系統のオンライン動的信頼度評価とエネルギマージン計算とを実行する新規なシステム、すなわち、グループベースのＢＣＵ−ＤＳＡを提供する。グループベースのＢＣＵ−ＤＳＡのアーキテクチャは、次の３つの主要なコンポーネントから成っている：８つの改良型ＢＣＵ分類器から成る動的オンライン分類プログラムと、ＢＣＵ法補助時間域シミュレーションプログラムと、グループベースのＢＣＵ法とである。バージョンＩのグループベースのＢＣＵ−ＤＳＡシステムを次のステップで実行する。
【０１０８】
入力：動的信頼度評価用の関連データと発生しうる想定故障のリストとを持つ電力系統モデル
出力：安定度評価（すなわち、安定であるか不安定であるか）、エネルギマージン値及び、発生しうる想定故障のリストの各想定故障に対する推定の臨界故障除去時間
各想定故障を以下のステップで実行する：
ステップ０：発生しうる想定故障のリストのすべての想定故障を連続的に入力する。
【０１０９】
改良型ＢＣＵ分類器とＢＣＵ法補助時間域プログラム
ステップ１．ＢＣＵ分類器Ｉ：想定故障が改良型ＢＣＵ分類器に送られると、プログラムは最初に、ネットワーク分離の有無という問題を検出する分類器であるＢＣＵ分類器Ｉをチェックする。ＢＣＵ分類器Ｉにより、電力系統が想定故障のためいくつかの部分に分離されたと判断されると、想定故障下にある電力系統はきわめて不安定であると考えられ、大きい負のエネルギマージン、例えば−９９９、が対象想定故障に割り当てられて、臨界故障除去時間の推定値がゼロとなって、ステップ０に進み、そうでなければ、対象想定故障はＢＣＵ分類器ＩＩに送られる。
【０１１０】
ステップ２．ＢＣＵ分類器ＩＩ−ＡとＢＣＵ分類器ＩＩ−Ｂ：対象想定故障下にある故障後ＳＥＰを計算する。故障後ＳＥＰが発見されなければ又は故障後ＳＥＰは発見されたが故障前ＳＥＰからはるかに隔たっていれば、分類器２−Ａにより、対象想定故障は非常に不安定であると評価されて、大きい負のエネルギマージン、例えば−９９９、が対象想定故障に割り当てられて、臨界故障除去時間の推定値がゼロになって、ステップ０に進み、そうでない場合、故障後ＳＥＰが故障前ＳＥＰからあまり隔たっていなければ、分類器２−Ｂにより対象想定故障はやはり非常に不安定であると考えられるが、予備評価を検証するには時間域シミュレーションが必要である。それが実際不安定であれば、大きい負のエネルギマージン、例えば−９９９、を対象想定故障に割り当てて、臨界故障除去時間の推定値がゼロになってステップ０に進み、そうでなければ、対象想定故障はＢＣＵ分類器ＩＩＩに送られる。
【０１１１】
ステップ３．ＢＣＵ分類器ＩＩＩ：出口点を計算する。出口点が指定された期間内で発見されなくて、この指定された期間の終点におけるポテンシャルエネルギが正でない場合、ＢＣＵ分類器ＩＩＩにより、対象想定故障は非常に安定であると評価され、次に、大きいエネルギマージン、例えば９９９、を対象想定故障に割り当てて、臨界故障除去時間の推定値は非常に大きいとされ、ステップ０に進み、そうでなければ、対象想定故障はＢＣＵ分類器ＩＶに送られる。
【０１１２】
ステップ４．ＢＣＵ分類器ＩＶ：最小勾配点（ＭＧＰ）を計算する。射線調整の手順が失敗する又はＭＧＰポイントを射線調整での指定されたステップ数以内で発見することが不可能である場合、ＢＣＵ分類器ＩＶにより、対象想定故障がＢＣＵ法補助の時間域シミュレーションエンジンに送られて、安定度評価とエネルギマージン計算が実行されて、臨界故障除去時間をエネルギマージンとエネルギと、故障後システム軌跡からも止まるエネルギーを利用して計算し、ステップ０に進み、そうでなければ、対象想定故障はＢＣＵ分類器Ｖに送られる。
【０１１３】
ステップ５．ＢＣＵ分類器Ｖ：支配的ＵＥＰを計算する。支配的ＵＥＰを発見できない場合、ＢＣＵ分類器Ｖにより、対象想定故障がＢＣＵ法補助の時間域シミュレーションエンジンに送られて、安定度評価とエネルギマージン計算が実行されて、臨界故障除去時間をエネルギマージンと故障後システム軌跡から求まるエネルギを利用して計算し、ステップ０に進み、そうでなければ、対象想定故障はＢＣＵ分類器ＶＩに送られる。
【０１１４】
グループベースのＢＣＵ法
ステップ６．このステップに送られてきた各対象想定故障の計算されたＵＥＰと故障後ＳＥＰとを記憶する。想定故障のリストが終了したかどうかチェックする。想定故障リストが終了していれば、次のステップに進み、そうでなければ、ステップ０に進む。
【０１１５】
ステップ７．（分類ステップ）各想定故障と関連する計算されたＵＥＰを、特性１と特性２とを満足するように、コヒーレント想定故障のグループに分類する。
【０１１６】
計算されたＵＥＰの各グループに対して、コヒーレント想定故障のすべてのグループが実行されるまで、次のステップを実行する：
ステップ８．（選択ステップ）グループ中の各想定故障のＳＥＰ距離が小さい、例えば、３度未満の場合、最大のＳＥＰ距離を持つＵＥＰが選択され、そうでなければ、最大のＳＥＰを持つＵＥＰと最小のＳＥＰ距離を持つＵＥＰとが選択される。
【０１１７】
ステップ９．（チェックステップ）選択されたＵＥＰの境界特性をチェックする。実際に実施する場合、選択された各ＵＥＰ、例えば、ＸＵＥＰに対するテストベクトルを次式を用いて計算する。
【０１１８】
Ｘｔｅｓｔ＝Ｘｓｐｏｓｔ＋α（ＸＵＥＰ−Ｘｓｐｏｓｔ）
ここで、α＜１は正の数であって１．０に近い、例えば０．９９という値であり、ＸｓＰＯＳＴは想定故障の故障後ＳＥＰ、ＸＵＥＰは選択されたＵＥＰである。Ｘｔｅｓｔから始まる故障後システム軌跡をシミュレートして評価する。故障後システム軌跡がＸｓｐｏｓｔに収束すれば、選択されたＵＥＰ、すなわち、ＸＵＥＰは境界特性を満足し、そうでなければ、満足しない。
【０１１９】
ステップ１０．選択されたＵＥＰが境界特性を満足すれば、グループ全体のＵＥＰはオリジナルシステムの安定度境界上にあり、ステップ１１に進む。選択されたＵＥＰのどれもが境界特性を満足しない場合、グループ全体のＵＥＰは安定度境界外にあり、ステップ１２に進む。
【０１２０】
ステップ１１．コヒーレント想定故障のグループ中の各対象想定故障の臨界エネルギ値は、計算されたＵＥＰにおけるエネルギ値であり、ステップ１６に進む。
【０１２１】
ステップ１２．最大のＳＥＰ距離を有する選択されたＵＥＰを想定故障、例えば、Ｌｌに対するＸｌＵＥＰとし、また、最小のＳＥＰ距離を有する選択されたＵＥＰを想定故障、例えば、Ｌｓに対するＸｓＵＥＰとする。
【０１２２】
ステップ１３．（ＢＣＵ出口点）
対応するＸｌＵＥＰとＸｓＵＥＰをそれぞれ計算する。これらをそれぞれＸｌｂｃｕとＸｓｂｃｕと示す。
【０１２３】
ステップ１４．（臨界エネルギ）
Ｘｌｂｃｕにおけるエネルギ（Ｖｌｂｃｕと示す）を想定故障Ｌｓの臨界エネルギとして用いる。同様に、Ｘｓｂｃｕにおけるエネルギ（Ｖｓｂｃｕと示す）を想定故障Ｌｓの臨界エネルギとして用いる。
【０１２４】
ステップ１５．（他の想定故障の臨界エネルギ）
上記のコヒーレント想定故障のグループ中の想定故障、例えば、ＬｉのＳＥＰ距離をＳＥＰｉとする。すると、想定故障Ｌｉの臨界エネルギは次式のとおりである。
【０１２５】
Ｖｉｃｒ＝ａ×ＳＥＰｉ＋ｂ
ここで、
ａ＝（Ｖｌｂｃｕ−Ｖｓｂｃｕ）／（ＳＥＰｌ−ＳＥＰｓ）
ｂ＝（Ｖｓｂｃｕ×ＳＥＰｌ−Ｖｌｂｃｕ×ＳＥＰｓ）／（ＳＥＰｌ−ＳＥＰｓ）
ステップ１６．臨界エネルギに基づいて直接安定度評価を実施して、エネルギマージンを計算し、コヒーレント想定故障のグループ中の各対象想定故障に対して、エネルギマージンと故障後軌跡のエネルギとに基づいて臨界故障除去時間を出力する。
【０１２６】
グループベースのＢＣＵ−ＤＳＡシステム（バージョンＩＩ）を、ステップ１６を次のように拡大する以外は、グループベースのＢＣＵ−ＤＳＡシステム（バージョンＩ）と同じステップ順序で実行する：
ステップ１６．臨界エネルギに基づいて直接安定度評価を実施して、エネルギマージンを計算し、コヒーレント想定故障のグループ中の各対象想定故障に対して、エネルギマージンと故障後軌跡のエネルギとに基づいて臨界故障除去時間を出力する。
【０１２７】
ステップ１７．コヒーレント想定故障の各グループに対して、そのグループ中の想定故障が不安定であると評価されたらステップ１８に進み、そうでなければ、コヒーレント想定故障のグループがすべてチェックされるまで、次のコヒーレント想定故障グループをチェックする。
【０１２８】
ステップ１８．故障除去時間の時の状態を初期状態として、対応する故障後システムの時間域シミュレーションを実行する。故障後システム軌跡が不安定であると評価されたら、対応するエネルギマージンと、安定度評価と、臨界故障除去時間の推定値とが不変のまま保持され、そうでなければ、それは安定な想定故障であって、ＢＣＵ法補助時間域シミュレーションに送られて、エネルギマージンの計算と臨界故障除去時間の推定とが実行される。そして、ステップ１７に進む。
【０１２９】
境界距離計算と臨界エネルギ計算のための単一メンバーグループの完全なグループベースの分析は必要ではない。我々は次のことを提案する。
【０１３０】
・グループベースのＢＣＵ−ＤＳＡでは、グループベースのＢＣＵ法をコヒーレント想定故障の複数メンバーグループに適用する。
【０１３１】
・グループベースのＢＣＵ−ＤＳＡでは、ＢＣＵ法補助時間域法をコヒーレント想定故障の単一メンバーグループに適用する。
【発明を実施するための最良の形態】
【０１３２】
以下、図面を参照して、本発明の実施の形態にかかる実用的な電力系統のオンラインの動的信頼度評価とエネルギマージンの計算とのためのグループベースのＢＣＵ法について説明する。
【０１３３】
現時点では、改良型ＢＣＵ分類器が開発されたことにより、ＢＣＵ法の信頼性を劣化させる（すなわち、ＢＣＵ法は不正確な安定度評価をする）唯一の要因は、ＢＣＵ法で計算された不安定平衡点（ＵＥＰ）が常に真（正しい）支配的ＵＥＰであるとは限らないということである。さらにそのうえ、ＢＣＵ法で計算されたＵＥＰは、境界条件を満足させしないことがある。（想定故障に対する）計算されたＵＥＰは、この計算されたＵＥＰがオリジナルの想定故障後システムの安定度境界上にあれば、境界条件を満足するといわれている。
【０１３４】
この要因は、ＢＣＵ法があるタイプの想定故障に対しては不正確な安定度評価を与える理由を明確に説明するものである。ＢＣＵ法は、不十分なシステムダンピングによる境界条件違反のため失敗する。技術的にいえば、システムダンピングが不十分であると、ＢＣＵ法の基礎を成すパラメータ化された動的システムにグローバル分岐が発生する。他方、ＢＣＵ法は、境界条件が満足されれば良好に作動し、加えて、境界条件は、システムダンピング項が十分長ければ満足されることが分かっている。
【０１３５】
これらの開発によって我々は、チェックするのが非常に難しい１パラメータ横断条件をチェックするのではなく、ＢＣＵ法をその境界条件をチェックすることによって検証することが可能となる。計算されたＵＥＰの境界距離を計算することによって、計算されたＵＥＰがオリジナルシステムの安定度境界上にあるかどうかを検証可能であり、すなわち、計算されたＵＥＰの境界距離が１．０であれば、ＵＥＰはオリジナルの故障後システムの安定度境界上にあり、そうでなければ、境界上にない。
【０１３６】
我々は、境界条件はグループ特性（グループ特性とは、そのグループ中のすべての想定故障に対して成立する特性のことである）であることを発見した。したがって、コヒーレント想定故障の各グループ中のすべての計算されたＵＥＰの境界距離を計算する必要はない。コヒーレント想定故障のグループ中のある想定故障に対応する計算されたＵＥＰの境界距離を計算して、そのグループ中の他の想定故障の境界条件を検証するだけで十分である。グループ特性を探索すると、実際、計算労力がかなり減少する。想定故障が一対一で対応する方式でＢＣＵ法を検証する手順と比較して、想定故障のグループ全体に対してＢＣＵ法を検証する手順は、コヒーレント想定故障のグループ特性を探索するので、より効果的である。これがグループベースのＢＣＵ法の精神である。
【０１３７】
５．１  境界特性
ＢＣＵ法では、境界条件は、オリジナルシステムの対応するＵＥＰに対して縮約状態システムの計算されたＵＥＰを関連づける重要な特性である。計算されたＵＥＰの境界条件が満足されることによって、縮約状態システムの計算されたＵＥＰに対して、オリジナルシステムのそれと対応するＵＥＰがオリジナルシステムの安定度境界上に確実に存在することになる。また、それによって、この計算されたＵＥＰでのエネルギ値を対象想定故障の臨界エネルギとして用いることが可能となる。
【０１３８】
一般に、ＢＣＵ法は、境界条件を満足する、すなわち、境界条件が成立するような想定故障に対しては良好に作動する。他方、境界条件に違反するような想定故障に対しては、ＢＣＵ法は不正確な安定度評価とエネルギマージン計算を提供する。境界条件をチェックするため、我々は、本発明において、境界距離（ＢＤ）と呼ばれる性能指標を開発する。この指標は、計算されたＵＥＰの境界条件を数値検証するために開発されている。その境界距離が１．０である場合だけ、計算されたＵＥＰはオリジナルの故障後システムの安定度境界上にある。ＢＣＵ法による計算されたＵＥＰがオリジナルの故障後システムの安定度境界上にあれば、この計算されたＵＥＰでのエネルギ値を対象想定故障の臨界エネルギとして用いることが可能である。境界距離という概念は、グラフ図解の手を借りれば明瞭に説明可能であることに注意すべきである。ある計算されたＵＥＰがあるとすると、我々は、この計算されたＵＥＰとその故障後ＳＥＰとの間に射線を引いて、その射線とオリジナルシステムの安定度境界との間の交点を特定する。この計算されたＵＥＰが安定後領域の外にあれば、射線は故障後ＳＥＰの安定度境界と交わる。ＳＥＰに始まる射線に沿ったこの第１の交点はＢＣＵ出口点（又はＵＥＰ出口点）と呼ばれる（図１を参照）。計算されたＵＥＰが境界条件を満足すれば、ＢＣＵ出口点は計算されたＵＥＰ自身である。この交点は、時間域シミュレーション方式で計算することが可能である。次に、我々は、計算されたＵＥＰの境界距離を、交点と故障後ＳＥＰ間のユークリッド距離を計算されたＵＥＰとその故障後ＳＥＰ間のユークリッド距離で除算したスカラーとして定義する（図２参照）。ＵＥＰの境界距離は１．０を越えることはないことに注意すべきである。ＵＥＰの境界距離が１．０であれば、そのＵＥＰはオリジナルシステムの安定度境界上にあり、そうでなければ、その安全度境界外にある。したがって、境界距離が小さいほど、ＵＥＰはオリジナルシステムの安定度境界らより隔たっている。計算されたＵＥＰは、それがオリジナル故障後システムの安定度境界上にあれば、ＢＣＵ出口点に等しいので、この計算されたＵＥＰは、その境界距離が１．０である場合にだけ、オリジナル故障後システムの安定度境界上に存在する。
【０１３９】
実用的な観点からすれば、計算されたＵＥＰは、その境界距離が１．０に近い、例えば、０．９７と１の間であれば、オリジナル故障後システムの安定度境界上に存在するものと考えられる。これは、数値誤差が計算プロセス中に発生し得るという考慮によるものである。
【０１４０】
５．２  検証スキーム
我々は、本発明において、ＢＣＵ法によって、計算されたＵＥＰの境界条件をチェックする検証スキームを提案する。この検証スキームは、１パラメータ横断条件をチェックするという非常に困難なタスクを克服するものである。計算されたＵＥＰの境界距離を計算することによって、計算されたＵＥＰがオリジナルシステムの安全度境界上にあるかどうか検証可能である；すなわち、計算されたＵＥＰの境界距離が１．０であればそのＵＥＰはオリジナル故障後システムの安全度境界上にあり、そうでなければ、安全度境界上にはない。
【０１４１】
ＵＥＰが一般的な非線形動的システムの安全度境界上にあるかどうかをチェックするタスクは非常に時間がかかることがよく認識されよう。我々は、ＵＥＰ、例えばＸＵＥＰ、がＳＥＰ、例えばＸｓｐｏｓｔという一般的非線形動的システムの安全度境界上にあるかどうかをチェックする計算手順を提示する。
【０１４２】
ステップ１．（選択ステップ）
ある点（テストベクトル）を選択する。実際に実施する際には、我々は選択された各ＵＥＰ、例えば、ＸＵＥＰのテストベクトルを、次式を用いて計算する：
Ｘｔｅｓｔ＝Ｘｓｐｏｓｔ＋α（ＸＵＥＰ−Ｘｓｐｏｓｔ）
ここで、ＸｓｐｏｓｔはＳＥＰ、αは１に近い正の実数（例えば、０．９９）である。
【０１４３】
ステップ２．（チェックステップ）
故障後オリジナルシステムの軌跡をＸｔｅｓｔからシミュレートすることによってＸＵＥＰの境界条件をチェックする。一意に定まるシステム軌跡がＸｓｐｏｓｔに収束すれば、ＸＵＥＰは故障後オリジナルシステムの安定度境界上にあり、そうでなければ、この境界上にはない。
【０１４４】
上記の手順の理論的基盤は、安全度境界の特性である。ＸＵＥＰが安全度境界上にあれば、テストベクトルＸｔｅｓｔは安全度領域の内部にあるはずであり、そうでなければ、ＸＵＥＰは安全度境界外にあるはずである。上記の手順で必要とされる計算努力は、１回の時間域軌跡シミュレーションにほぼ匹敵する。
【０１４５】
上記の手順を適用して、ＢＣＵ法で計算した各ＵＥＰを検証することが可能である。しかしながら、この検証手順には、故障後オリジナルシステムの時間域軌跡シミュレーションを１回実行する必要がある。この検証手順を改善するためには、我々は、想定故障のリスト中にコヒーレント想定故障が存在することとそのグループ特性が存在することとを発見した。言い換えれば、我々は、コヒーレント想定故障から成るいくつかのグループが想定故障リスト中に形成されていることをそのグループ特性が形成されていることとを発見した。我々はまた、これらのグループ特性を探索して、コヒーレント想定故障の各グループに対する検証手順を改善した。具体的には、我々は、コヒーレント想定故障のグループ中の各想定故障に対して各計算されたＵＥＰの境界条件を迅速にしかも正確に検証するグループベースの検証スキームを開発した。その詳細は後に提示する。
【０１４６】
２つのテストシステムに関する我々の数値的考察では、境界条件を満足するすべての計算されたＵＥＰの比率は、これら２つのテストシステムでは８７．０％から８７．７％の範囲にある。この２つのテストシステムは１１１発電機システムと１３４発電機システムである。
【０１４７】
５．３  補正スキーム−ＢＣＵ出口点法
過渡安定度分析のための直接的方法によって、故障後システム軌跡が安定のままであるかどうかを、基礎を成す故障が除去された直後の状態におけるシステムエネルギを臨界エネルギと比較することによって判定する。故障除去点におけるエネルギが臨界エネルギ未満であれば、故障後システム軌跡は安定であり、そうでなければ、不安定である。したがって、臨界エネルギ値を不正確に決定すると、次の問題が発生し得る：
問題１（Ｐ１）：臨界エネルギが過大評価されると、不安定な想定故障が安定であると分類される。
【０１４８】
問題（Ｐ２）：臨界エネルギを不当に過小評価して計算すると、安定な想定故障は判定であると分類される。
【０１４９】
したがって、想定故障の安定度を正しく評価するためには、臨界エネルギを正確に計算することが必須である。
【０１５０】
我々は理論的結果を展開して、想定故障の正確な臨界エネルギ値は、故障時軌跡と故障後電力系統の安定度境界との交点である（オリジナルの）出口点でのエネルギ値であり、また、それに加えて、（オリジナルの）出口点は時間域シミュレーションにおける臨界故障除去時間（ＣＣＴ）に対応することを示した。（ＣＣＴを得るために）時間シミュレーションを数回実行する必要があるオリジナルの出口点を得る際の計算努力を改善するために、我々はまた［４］で、支配的不安定平衡点（ＣＵＥＰ）でのエネルギ値が正確な臨界エネルギとなることを示した。したがって、ＢＣＵ法などのある方法による計算されたＵＥＰが実際に、故障後電力系統の安定度境界上に存在する支配的ＵＥＰであることを検証することが重要である。我々は、ＣＵＥＰは、故障時軌跡と交わる安定な多様体を持つ故障後電力系統の安定度境界上のＵＥＰであることに注目する。
【０１５１】
すでに示したように、計算されたＵＥＰの境界条件に違反すると、この計算されたＵＥＰはオリジナルの（故障後）システムの安定度境界上にはない。したがって、計算されたＵＥＰでのエネルギ値を臨界エネルギとして用いるのは不適切である。すると、問題点は、境界条件に違反したときに臨界エネルギとして用いることが可能なエネルギ値を持つ点をいかにして発見するかということになる。本発明において、我々は、この問題点に対処するためにＢＣＵ出口点法を開発する。
【０１５２】
ＢＣＵ出口点法の１つの主要な設計目標は、前記の問題（Ｐ１）と（Ｐ２）とを解決して次の状況に到達することである。
【０１５３】
（Ｓ１）ＢＣＵ出口点法はエネルギマージンを過大評価しない、言い換えれば、ＢＣＵ出口点法は不安定な想定故障を安定であると分類することはない。
【０１５４】
（Ｓ２）ＢＣＵ出口点法は、ＢＣＵ法で計算されたエネルギマージンより大きめにエネルギマージンを計算する。
【０１５５】
ＢＣＵ出口点法
境界条件に違反する計算されたＵＥＰはすべて、１つの共通した特性、すなわち、対応する故障後ＳＥＰの安定度境界上にではなく、安定度領域の外部に存在するという特性を共有する。計算されたＵＥＰでのエネルギ値は臨界エネルギとして用いることが不可能である。このような状況下では、我々は、ＢＣＵ出口点を計算して、それを臨界エネルギとして用いることを提案する。
【０１５６】
次に、我々は、ＢＣＵ出口点を定義する。境界条件に違反している、想定故障に対する（ＢＣＵ法による）計算されたＵＥＰを考える。我々は、対応する故障後ＳＥＰと計算されたＵＥＰを接続する射線を引く。計算されたＵＥＰは安定度領域外にあるので、射線は故障後ＳＥＰの安定度境界と交わる。ＳＥＰに始まる射線との第１の交点はＢＣＵ出口点と呼ばれる。計算されたＵＥＰが境界条件を満足すれば、ＢＣＵ出口点は計算されたＵＥＰ自身である。
【０１５７】
ＢＣＵ出口点は、ＢＣＵ出口点法の開発に重要な役割を演じる。それはまた、境界条件に違反する想定故障のコヒーレントグループ中の各想定故障の正確な臨界エネルギ値を決定するグループベースのＢＣＵ出口点法の開発にも重要な役割を演じる。
【０１５８】
計算されたＵＥＰの境界距離が１．０未満であれば、その計算されたＵＥＰは安定度境界外にあり、計算されたＵＥＰでのポテンシャルエネルギを臨界エネルギとして用いることが可能であることに注意すべきである。次に、我々は、ＢＣＵ法による計算されたＵＥＰが境界条件に違反したすべての想定故障の正確な臨界エネルギを計算するＢＣＵ出口点法を提示する。ＢＣＵ出口点法が実用的であるためには、次の判定基準を満たさなければならない：
（Ｃ１）：エネルギマージンの計算値は、正確なエネルギマージンと比較して、常に過小評価であるが過小評価すぎることはない。
【０１５９】
この判定基準（Ｃ１）は、一般に直接的方法の精神と特に支配的ＵＥＰ法の精神とに沿ったものである。
【０１６０】
我々は、対象想定故障下にある電力系統を考える。次のＢＣＵ出口点法は、対象想定故障の正確な臨界エネルギを計算する。
【０１６１】
ＢＣＵ出口点法
所与の条件：電力系統過渡安定度モデルと、対象想定故障と、故障後電力系統のエネルギ関数とがあるとする。
【０１６２】
ステップ１．ＢＣＵ法を用いて、ＣＵＥＰと対象想定故障の故障後ＳＥＰとを計算する。
【０１６３】
ステップ２．検証手順を、ステップ１の計算されたＣＵＥＰに適用する。境界条件が満足されれば、対象想定故障の臨界エネルギは計算されたＣＵＥＰでのエネルギ値であり、ステップ４に進み、そうでなければ、次のステップに進む。
【０１６４】
ステップ３．効果的な時間域ベースの方法を適用して、対応するＢＣＵ出口点を計算する。対象想定故障の臨界エネルギは、ＢＣＵ出口点でのエネルギ値である。
【０１６５】
ステップ４．この臨界エネルギ値に基づいて、安定度評価を実行し、また、対象想定故障のエネルギマージを計算する。
【表６】
2006223093.tif 000011
【０１６６】
数値的調査
次に、我々は、実用的な電力系統の数値的調査を通じて、ＢＣＵ出口点法が判定基準（Ｃ１）を満たすことを示す。我々は、この数値的調査の結果を、５つのカラムを含んでいる表６に示すが；第１のカラムには想定故障番号がリストアップされており、第２のカラムには第１カラムの各想定故障と関連する各計算されたＵＥＰの境界距離がリストアップされている。境界距離の値から明らかなように、計算されたＵＥＰはすべて境界条件を満足しない。したがって、計算されたＵＥＰでのエネルギ値は臨界エネルギとして用いることは不可能である。その代わり、ＢＣＵ出口点でのエネルギ値は臨界エネルギ値として使用可能である。第３のカラムには、各想定故障と関連するＳＥＰ距離がリストアップされている。我々は、ＢＣＵ出口点法に基づいた臨界エネルギ値と正確時間域法（あるベンチマーク方法）に基づいたそれとを比較して、これら２つの方法によるエネルギマージンの計算値に注目する。各対象想定故障に対して、我々は、繰り返し時間域シミュレーションを実行することによって正確なエネルギマージンを計算する。我々は、この繰り返し時間域シミュレーションにおいて、黄金二分割法を採用して、（時間域における）臨界故障除去時間、すなわち正確な出口点（安定度境界と故障時軌跡との（第１の）交点）、を決定する。正確な（オリジナルの）出口点のエネルギ値は、正確な臨界エネルギである。この正確時間域法による臨界エネルギ値を表の第４のカラムにリストアップし、ＢＣＵ出口点法による臨界エネルギ値を第５のカラムにリストアップする。
【０１６７】
我々は、表６に要約したシミュレーションを含むいくつかの数値的シミュレーションから、すべての対象想定故障に対して、ＢＣＵ出口点でのエネルギ値は正確な臨界エネルギより少し少ないことを観察した。したがって、このテストシステムでは判定基準は満足されており、具体的には：
・ＢＣＵ出口点でのエネルギ値は、臨界故障除去時間点でのエネルギ値（すなわち正確な臨界エネルギ）より常に低い。これは、ＢＣＵ出口点法は、支配的ＵＥＰ法の精神に則って、安定後評価においては保守的であることを示している。
【０１６８】
・ＢＣＵ出口点でのエネルギ値は、臨界故障除去時間点でのエネルギ値（すなわち正確な臨界エネルギ）に常に近い。これは、ＢＣＵ出口点法は、支配的ＵＥＰ法の精神に則って正確であり、しかも安定度評価において保守的過ぎることはないことを示している。
【０１６９】
５．４  コヒーレント想定故障のグループ
本発明において、我々はとりわけ、コヒーレント想定故障のグループという概念を開発し、また、このコヒーレント想定故障グループ内のいくつかの特性を探索する。我々は、コヒーレント想定故障という概念は、グループベースのＢＣＵ法の開発においてだけではなく、想定故障分析や補正制御や予防制御などのいくつかの応用分野においても有用であることが証明されるものと強く信じている。
【０１７０】
我々は、想定故障のグループに対してＢＣＵ法で計算されたＵＥＰは互いに接近する傾向があることを発見する。このようなＵＥＰは状態空間中では互いに接近しており、他方、この想定故障グループの故障位置は地理的空間中で互いに接近している。この想定故障グループはコヒーレント想定故障のグループと呼ばれる。我々はまた、想定故障のリストをコヒーレント想定故障のグループに分類することが可能であることを発見する。多くの想定故障を含んでいるグループもあれば、少ない想定故障を含んでいるグループもある。
【０１７１】
コヒーレント想定故障のグループの検討に進む前に、定義と用語をいくつか次に提示する。
【０１７２】
定義：（想定故障のリスト）
所与の電力系統動的モデルに対して、動的信頼度評価（ＤＳＡ）プログラムによって１回の実行で調査される想定故障（例えばＬ）のグループ全体は、想定故障リストを形成すると言われる。
【０１７３】
各想定故障に対して、我々はその故障前ＳＥＰと故障後ＳＥＰを計算することが可能である。我々は想定故障のＳＥＰ距離を次のように定義する：
定義（ＳＥＰ距離）
ある想定故障があると、我々はその想定故障のＳＥＰ距離をその故障前ＳＥＰ例えばδｓｐｒｅとその故障後ＳＥＰ例えばδｓｐｏｓｔのとの間の無限大ノルム、すなわち次のように定義する：
ＳＥＰ距離＝‖δｓｐｒｅ−δｓｐｏｓｔ‖∞
定義：（コヒーレント想定故障）
２つの想定故障があるとそれは、それらの対応する計算されたＳＥＰと計算されたＵＥＰとにおける発電機の回転子相差角が互いに近ければコヒーレントであると言われる。数学的に言えば、我々は、想定故障ｉと想定故障ｊとは、次の条件が満足されればコヒーレントである：
‖δｉｃｕｅｐ−δｊｃｕｅｐ‖∞＜εｃｕｅｐ
‖δｉｓｅｐ−δｊｓｅｐ‖∞＜εｓｅｐ
ここで、（ｉ）δｉｓｅｐのとδｊｓｅｐとは、それぞれ想定故障ｉとｊとの故障後ＳＥＰの発電機回転子の相差角ベクトルであり、εｓｅｐには相差角許容差が指定される。
【０１７４】
（ｉｉ）δｉｃｕｅｐのとδｊｃｕｅｐとは、それぞれ想定故障ｉとｊとの計算されたＵＥＰの発電機回転子の相差角ベクトルであり、εｃｕｅｐには相差角許容差が指定される。
【０１７５】
この定義で用いられるノルムは無限大ノルムであることに注意すべきである。したがって、この定義は、大型の電力系統と小型の電力系統の双方に対して有効である。
【０１７６】
定義：（コヒーレント想定故障のグループ）
コヒーレント想定故障のグループは想定故障の部分集合であり、この集合中では、このグループ中のどの想定故障を２つ取っても、それらはコヒーレントである。
【０１７７】
コヒーレント想定故障のグループに含まれる想定故障の数は大きかったり小さかったりするが、最小のグループには１つの想定故障しか含まれていないことに注意すべきである。
【０１７８】
ＳＥＰ距離は、想定故障の静的過酷度の尺度とみなすことが可能である。計算されたＵＥＰと想定故障の故障後ＳＥＰとの間の「分離」は、想定故障の動的過酷度の尺度とみなすことが可能である。我々は、これら２つの尺度を定義して、それを適用して、想定故障のリストをコヒーレント想定故障のグループに分類するスキームを開発する。
【０１７９】
我々は、我々の実行した数値的調査中で、各コヒーレント想定故障グループ内で、最大のＳＥＰ距離を持つＵＥＰと最小のＳＥＰを持つＵＥＰとがそのグループ中のすべてのＵＥＰの境界特性を定義することを観察したが、より具体的には、我々は、次のグループ特性を観察した：
グループ特性１：最大のＳＥＰ距離を持つＵＥＰと最小のＳＥＰを持つＵＥＰとの双方が境界条件を満足する場合、コヒーレントグループ全体のすべてのＵＥＰが、対応するオリジナルシステムの安定度境界上に存在する。言い換えれば、コヒーレントグループの「両端」にあるＵＥＰが対応するオリジナルシステムの安定度境界上にあれば、グループ全体のＵＥＰもまたオリジナルシステムの安定度境界上にある。
【０１８０】
グループ特性２：最大のＳＥＰ距離を持つＵＥＰと最小のＳＥＰを持つＵＥＰとの双方が境界条件を満足しない場合、コヒーレントグループ全体のＵＥＰは、オリジナルシステムの安定度境界上に存在しない。
【０１８１】
グループ特性１は、最大のＳＥＰ距離と最小のＳＥＰ距離との間の差が小さければ、次のように表すことが可能である：
グループ特性１−Ａ：最大のＳＥＰ距離を持つＵＥＰが境界特性を満足すれば、コヒーレントグループ全体の各ＵＥＰは対応するオリジナルシステムの安定度境界上に存在する。
【０１８２】
グループ特性２は、最大のＳＥＰ距離と最小のＳＥＰ距離との間の差が小さければ、次のように表すことが可能である：
グループ特性２−Ａ：最大のＳＥＰ距離を持つＵＥＰが境界特性を満足しなければ、コヒーレントグループ全体の各ＵＥＰは対応するオリジナルシステムの安定度境界上に存在しない。
【０１８３】
我々は、コヒーレント想定故障のグループをいくつかのコヒーレント想定故障グループに再分類し、これで、特性１と特性２とが満足されるようにするための指針を開発する。
【０１８４】
再分類のための指針：上記２つのＵＥＰの内の一方、すなわち、ＳＥＰ距離が最大であるＵＥＰとＳＥＰ距離が最小のＵＥＰの内のどちらかが境界条件を満足し、他方が満足しない場合、コヒーレントグループ全体の内で、境界条件を満足するＵＥＰもあれば、満足しないＵＥＰもある。
【０１８５】
想定故障のリストがあると、我々はＢＣＵ法を適用して、この想定故障リスト中の各想定故障に対する支配的ＵＥＰを計算する。次に、我々は、想定故障リスト中のすべての想定故障を、計算されたＵＥＰの座標とそのＳＥＰ距離との間の差に基づいてコヒーレント想定故障のグループに分類する。いくつかの分類スキームを開発することが可能であるが、これらは特性１と特性２とを満足すべきである。
【０１８６】
数値的調査
我々は、集約的に数値的シミュレーションを実行することによって、想定故障のグループに対してＢＣＵ法で計算されたＵＥＰは故障後システムの状態空間中では互いに近接することを観察した。我々は、コヒーレント想定故障のグループという概念を、詳細な発電機モデルを持ついくつかのテストシステムに関する数値的調査をすることによって検証する。
【０１８７】
我々は、詳細な発電機モデルを持つテストシステムに関する想定故障リストに対するＢＣＵ法の適用のシミュレーション結果を提示する。次に、このリスト中の想定故障をすべて、計算されたＵＥＰと関連するＳＥＰ距離とに基づいてコヒーレント想定故障のグループに分類する。数値的シミュレーションは、想定故障リストがコヒーレント想定故障のグループを包含しているが、その一部は規模が大きい；例えば、グループ＃４は４３のコヒーレント想定故障を含んでいるが、たった１つの想定故障しか含んでいないグループもあることを示している。表７に、我々は、グループ番号と４以上の想定故障を有する各コヒーレントグループ中のコヒーレント想定故障の数とをリストアップする。
【０１８８】
我々は、いくつかのコヒーレント想定故障グループ中の想定故障を、グループ中の各想定故障の境界距離と共にリストアップする（表８から表１５を参照）。コヒーレント想定故障グループ中のすべての想定故障の境界距離は互いに近いことに注意すべきである。加えて、境界距離が正確（すなわち１．０）であれば、境界条件は満足される。
【０１８９】
我々は、我々の概念とコヒーレント想定故障グループの定義とによって、境界特性をコヒーレント想定故障グループに対する境界特性とすることが可能であることを発見する。
【表７】
2006223093.tif 000012
【０１９０】
【表８】
2006223093.tif 000013
【０１９１】
【表９】
2006223093.tif 000014
【０１９２】
【表１０】
2006223093.tif 000015
【０１９３】
【表１１】
2006223093.tif 000016
【０１９４】
【表１２】
2006223093.tif 000017
【０１９５】
【表１３】
2006223093.tif 000018
【０１９６】
【表１４】
2006223093.tif 000019
【０１９７】
【表１５】
2006223093.tif 000020
【０１９８】
我々の数値的調査から引き出されたいくつかの観察を以下に提示する：
観察１：各コヒーレント想定故障グループ中のＢＣＵ法で計算されたＵＥＰの境界距離は互いに近接している。
【０１９９】
観察２：コヒーレント想定故障のグループに対して、あるコヒーレント想定故障グループ中の想定故障に対するＢＣＵ方で計算されたＵＥＰがオリジナルシステムの安定度境界上にあれば（すなわちそれが境界条件を満足すれば）、同じコヒーレント想定故障グループ中の他のどの想定故障に対してＢＣＵ法で計算されたＵＥＰもオリジナルシステムの安定度境界上にある；言い換えれば、境界特性はグループ特性である。
【０２００】
観察３：単一スイング安定度／不安定度現象はコヒーレント想定故障のグループ特性である。
【０２０１】
観察４：多重スイング安定度／不安定度現象はコヒーレント想定故障のグループ特性である。
【０２０２】
５．５  グループベースの検証スキーム
ＵＥＰがオリジナル（故障後）システムの安定度境界上にあるかどうかをチェックする手順はかなり時間がかかる。本発明において、我々は、コヒーレントグループ中の（想定故障に対する）各計算されたＵＥＰがその対応するオリジナル（故障後）システムの安定度境界上にあるかどうかをチェックする効果的な数値的手順を開発する。特に、我々は、本発明において、コヒーレント想定故障のグループの境界特性をチェックするグループベースの手順を開発する。
【０２０３】
グループベースの検証手順
ステップ０：コヒーレント想定故障のグループがあるとする
ステップ１．（選択ステップ）
このコヒーレント想定故障グループに対して、このコヒーレント想定故障グループから１つの想定故障又は２つの想定故障を境界特性の検証のために選択する次の判定基準を我々は提案する。コヒーレント想定故障中の各想定故障のＳＥＰ距離が小さい、例えば、３度未満である場合、そのグループ中の最大のＳＥＰ距離を持つ計算されたＵＥＰを選択し、そうでなければ、最大のＳＥＰ距離を持つ計算されたＵＥＰとそのグループ中で最小のＳＥＰ距離を持つ計算されたＵＥＰを選択する。
【０２０４】
ステップ２．（チェックステップ）
選択ステップで選択された想定故障に対応する計算されたＵＥＰの境界条件をチェックする。我々は、選択されたＵＥＰ、例えば、ＸＵＥＰに対してテストベクトルを次式を用いて計算する：
Ｘｔｅｓｔ＝Ｘｓｐｏｓｔ＋α（ＸＵＥＰ−Ｘｓｐｏｓｔ）
ここで、Ｘｓｐｏｓｔは、ＸＵＥＰに対応する想定故障の故障後ＳＥＰ、αは１に近い正の実数（例えば、０．９９）である。Ｘｔｅｓｔから始まる故障後システム軌跡をシミュレートして評価する。この故障後システム軌跡がＸｓｐｏｓｔに収束すれば、選択されたＵＥＰ、すなわち、ＸＵＥＰは境界条件を満足し、そうでなければ、満足しない。
【０２０５】
ステップ３．（評価ステップ）
ステップ２のチェックの結果に基づいて、次の評価結果が得られる。
【０２０６】
（１）選択されたＵＥＰが境界条件を満足すれば、全グループ中のコヒーレント想定故障の計算されたＵＥＰは、（オリジナルの）故障後システムの安定度境界上に存在する。
【０２０７】
（２）選択されたＵＥＰの内のどれもが境界条件を満足しなければ、グループ全体のＵＥＰは（オリジナルの）故障後システムの安定度境界の外にある。
【０２０８】
上記のグループベースの検証手順は次の３つのステップ、すなわち、選択ステップと、チェックステップと、評価ステップとから成っている。主な計算労力は、１つの時間域シミュレーション結果を実行して境界条件をチェックするステップ２で必要とされる。境界条件をチェックすることによって、ＢＣＵ法で計算されたＵＥＰがオリジナル（故障後）のシステムの安定度境界上にあるかどうかを、１パラメータ横断条件をチェックする必要なく、検証することが可能である。そのうえ、上記の検証手順では、各コヒーレント想定故障グループ中のすべての想定故障の境界条件を完全にチェックする必要性が解消される。
【０２０９】
５．６  グループベースのＢＣＵ出口点法
我々は、対象想定故障を持つ電力系統を考える。この対象想定故障は、自身が改良型ＢＣＵ分類器の選別手順をパスし、また、ＢＣＵ法で対象想定故障のＵＥＰを計算するというＢＣＵ的な意味で、数値的に良好に調整されているものと仮定する。すると、問題点は、計算されたＵＥＰが故障後システムの安定度境界上にあるかどうかということになる。この問題点に対処するため、ＢＣＵ法の延長であるＢＣＵ出口点法には、境界条件をチェックする効果的な検証手順と、境界条件に違反した場合に正確な臨界エネルギを計算する補正スキームとが含まれる。事実、ＢＣＵ出口点法では、必要とされる境界条件が満足されるかどうかとは無関係に、対象想定故障の正確な安定度評価とエネルギマージンの計算とが実行される。
【０２１０】
しかしながら、ＢＣＵ出口点法で必要とされる計算労力はＢＣＵ法でのそれよりかなり大きなものとなりかねない。したがって、ＢＣＵ出口点法で必要とされる計算努力を減少させるのが非常に望ましい。検証手順を改善するために、我々は、本発明において、コヒーレント想定故障のグループ中の各想定故障に対して時間域シミュレーションを１回実行する代わりに、このグループ全体毎に時間域シミュレーションを１回又は２回実行するだけのグループベースの検証手順を開発する。このグループベースの検証手順によって得られる高速化はｍ倍又は０．５×ｍ倍である（ここでｍはコヒーレントグループ中の想定故障の数である）。
【０２１１】
本発明において我々は、一部のグループ特性を探索することによってコヒーレントグループ中の各想定故障に対してＢＣＵ出口点を計算するという困難さを克服するグループベースのＢＣＵ出口点法を開発する。我々は、コヒーレントグループ中の各想定故障に対してＢＣＵ出口点を計算する必要なく、各想定故障に対して正確な臨界エネルギを計算するグループベースの補正手順を開発する。このグループベースのＢＣＵ出口点法では、コヒーレントグループ中の（特定の）想定故障のＢＣＵ出口点を計算するだけでよい；したがって、高速化はほぼｍ倍である（ここでｍはコヒーレントグループ中の想定故障の数である）。
【０２１２】
次に、我々は、グループベースのＢＣＵ出口点法を提示する。次に、我々は、境界条件に違反するコヒーレント想定故障のグループを考える。我々の目標は、コヒーレントグループ中の各想定故障の（正確な）臨界エネルギを決定することである。Ｌｌを、グループ中で最大のＳＥＰ距離を持つ計算されたＵＥＰ、例えばＸｌＵＥＰ、を有する想定故障とする。Ｌｓを、グループ中で最小のＳＥＰ距離を持つ計算されたＵＥＰ、例えばＸｓＵＥＰ、を有する想定故障とする。境界条件はグループ特性であるため、コヒーレントグループ中の想定故障はすべて、境界条件に違反する。
【０２１３】
ＸｌＵＥＰとＸｓＵＥＰのＢＣＵ出口点をそれぞれＸｌｂｃｕとＸｓｂｃｕとする。我々は、次のことを発見をした：
・ＢＣＵ出口点Ｘｌｂｃｕでのエネルギ値は、想定故障Ｌｌの臨界エネルギ値として正確に用いることが可能である。他方、計算されたＵＥＰであるＸｌＵＥＰでのエネルギ値は想定故障Ｌｌの臨界エネルギ値として用いることは不可能である。
【０２１４】
・ＢＣＵ出口点Ｘｓｂｃｕでのエネルギ値は、想定故障Ｌｓの臨界エネルギ値として正確に用いることが可能である。他方、計算されたＵＥＰであるＸｓＵＥＰでのエネルギ値は想定故障Ｌｓの臨界エネルギ値として用いることは不可能である。
【０２１５】
我々は次に、想定故障の各コヒーレントグループに対して成立する次の関係を開発することによってさらにもう１つステップを移動する：
・コヒーレントグループ中の各想定故障に対して、正確な臨界エネルギ（すなわち出口点でのエネルギ）とそのＳＥＰ距離との間にどんな関係があるか？
・コヒーレントグループ中の各想定故障に対して、ＢＣＵ出口点とそのＳＥＰ距離との間にどんな関係があるか？
我々は次の発見をする：
・コヒーレント想定故障グループ内には、その臨界エネルギとそのＳＥＰ距離との間に非線形関係が存在する。
【０２１６】
・コヒーレント想定故障グループ内には、ＢＣＵ出口点でのエネルギとそのＳＥＰ距離との間にほぼ線形の関係が存在する。
【０２１７】
我々は次に、ＢＣＵ出口点でのエネルギとそのＳＥＰ距離との間の関係を探索するグループベースのＢＣＵ出口点法を提示する。
【０２１８】
グループベースのＢＣＵ出口点法
境界条件に違反するコヒーレント想定故障のグループがあるとして、我々は、このグループ中の各想定故障の臨界エネルギを計算する次のグループベースのＢＣＵ出口法を開発する。このグループベースのＢＣＵ出口法のフローチャートを次に示す（図３を参照）。図３は、コヒーレント想定故障の各グループに対して臨界エネルギ値を決定する際のグループベースのＢＣＵ出口点法のフローチャートを示す。
【０２１９】
グループベースのＢＣＵ出口点法
所与の条件：境界条件に違反するコヒーレント想定故障のグループがあるとして、次のステップで、このコヒーレントグループ中の各想定故障の臨界エネルギを決定する。
【０２２０】
ステップ１．（選択ステップ）
このコヒーレント想定故障のグループから、想定故障、例えば、Ｌｌに対する最大のＳＥＰ距離を持つ計算されたＵＥＰ、例えば、ＸｌＵＥＰを選択し、また、想定故障、例えば、Ｌｓに対する最小のＳＥＰ距離を持つ計算されたＵＥＰ、例えば、ＸｓＵＥＰを選択する。
【０２２１】
ステップ２．（ＢＣＵ出口点）
それぞれＸｌＵＥＰとＸｓＵＥＰとの対応するＢＣＵ出口点を計算する。それらの計算値をそれぞれＸｌｂｃｕとＸｓｂｃｕと示す。
【０２２２】
ステップ３．（臨界エネルギ）
Ｘｌｂｃｕにおけるエネルギ（Ｖｌｂｃｕと示す）を想定故障Ｌｓの臨界エネルギとして用いる。同様に、Ｘｓｂｃｕにおけるエネルギ（Ｖｓｂｃｕと示す）を想定故障Ｌｓの臨界エネルギとして用いる。
【０２２３】
ステップ４．（他の想定故障の臨界エネルギ）
上記のコヒーレント想定故障のグループ中の想定故障、例えば、ＬｉのＳＥＰ距離をＳＥＰｓｉとする。すると、想定故障Ｌｉの臨界エネルギは次式のとおりである。
【０２２４】
Ｖｉｃｒ＝ａ×ＳＥＰｉ＋ｂ
ここで、
ａ＝（Ｖｌｂｃｕ−Ｖｓｂｃｕ）／（ＳＥＰｌ−ＳＥＰｓ）
ｂ＝（Ｖｓｂｃｕ×ＳＥＰｌ−Ｖｌｂｃｕ×ＳＥＰｓ）／（ＳＥＰｌ−ＳＥＰｓ）
数値的調査
我々は、１３４発電機システムに対するグループベースのＢＣＵ出口点法を評価する。評価目的で、我々は臨界エネルギを計算する互いに異なった２つの方法を比較する。
【表１６】
2006223093.tif 000021
【０２２５】
・時間域シミュレーションを適用して臨界故障除去時間を計算することによる正確な臨界エネルギ
・グループベースのＢＣＵ出口点法（Ｇ−ＢＣＵ出口点法）に基づく臨界エネルギ
【表１７】
2006223093.tif 000022
【０２２６】
我々は最初に、グループベースのＢＣＵ出口点法の正確さと信頼性とを評価する。比較目的で、我々は、時間域シミュレーションを用いて、正確な臨界エネルギが与えられる臨界故障除去時間を計算することによって正確な臨界エネルギを計算する。これはもっとも厳密であるが、時間のかかる方法である。時間域シミュレーションで黄金二分割方法を用いて、臨界故障除去時間を決定する。
【０２２７】
表１６に、我々は、コヒーレント想定故障のあるグループに対して、時間域シミュレーション方法とグループベースのＢＣＵ出口点法に基づく臨界エネルギとを用いることによって、ケース番号と、境界距離と、ＳＥＰ距離と、臨界エネルギとを含むあるグループの情報をリストアップする。表１７に、我々は、境界条件に違反するコヒーレント想定故障のあるグループに対して、時間域シミュレーション方法とグループベースのＢＣＵ出口点法に基づく臨界エネルギとを用いることによって、ケース番号と、境界距離と、ＳＥＰ距離と、臨界エネルギとを含むあるグループの情報をリストアップする。我々は次のことを発見した。
【０２２８】
・グループベースのＢＣＵ出口点に基づく臨界エネルギは、正確な臨界エネルギより常に低い。これは、このシミュレーションにおけるすべての想定故障に対して真である。これは、グループベースのＢＣＵ出口点法に基づく臨界エネルギは、直接的な安定度評価では、ＣＵＥＰ法の精神に則って保守的であることを示している。
【０２２９】
・ＢＣＵ出口点法に基づく臨界エネルギは、正確な臨界エネルギに常に近い。これは、このシミュレーションにおけるすべての想定故障に対して真である。これは、グループベースのＢＣＵ出口点法に基づく臨界エネルギは、正確であり、しかも直接的安定度評価において保守的過ぎることはないことを示している。
【０２３０】
・グループベースのＢＣＵ出口点に基づく臨界エネルギは常に、ＢＣＵ出口点法に基づく臨界エネルギ未満であるがこれに近い。
【０２３１】
・コヒーレント想定故障の各グループ内に対して、ＢＣＵ出口点でのエネルギとＳＥＰ距離との間にほぼ線形の関係が存在する。
【０２３２】
・コヒーレント想定故障の各グループに対して、正確な臨界エネルギとＳＥＰ距離との間に非線形の関係が存在する。
【０２３３】
しかしながら、ＢＣＵ出口点法はオンラインで応用には適していないかもしれないが、それは、各想定故障に対してＢＣＵ出口点を計算するというタスクが非常に時間のかかるものであり、他方、グループベースのＢＣＵ出口点法はオンラインでの応用には効果的であることが分かるからである。
【０２３４】
５．７  グループベースのＢＣＵ法
我々は、本発明において、グループベースの検証スキームを組み込むグループベースのＢＣＵ法、すなわち、本発明によるグループベースのＢＣＵ出口点法を開発する。この発明されたグループベースのＢＣＵ法は、ＢＣＵ法の信頼性だけではなく、直接過渡安定度評価におけるＢＣＵ法の過小評価性をも改善することが可能である。
【０２３５】
グループベースのＢＣＵ法
ステップ１．ＢＣＵを用いて、想定故障リストの各調査想定故障の支配的ＵＥＰと故障後ＳＥＰとを、この想定故障リストが終了するまで、計算する。
【０２３６】
ステップ２．（分類ステップ）各想定故障と関連する計算されたＵＥＰを、特性１と特性２とを満足するようなコヒーレント想定故障グループに分類する。
【０２３７】
各ＵＥＰグループに対して、次のステップを実行する：
ステップ３．（選択ステップ）グループ中の各想定故障のＳＥＰ距離が小さい、例えば、３度未満の場合、最大のＳＥＰ距離を持つＵＥＰが選択され、そうでなければ、最大のＳＥＰを持つＵＥＰと最小のＳＥＰ距離を持つＵＥＰとが選択される。
【０２３８】
ステップ４．（チェックステップ）選択されたＵＥＰの境界特性をチェックする。実際に実施する場合、我々は選択された各ＵＥＰ、例えば、ＸＵＥＰに対するテストベクトルを次式を用いて計算する。
【０２３９】
Ｘｔｅｓｔ＝Ｘｓｐｏｓｔ＋α（ＸＵＥＰ−Ｘｓｐｏｓｔ）
ここで、α＜１は正の数であって１．０に近い、例えば０．９９という値であり、ＸｓＰＯＳＴは想定故障の故障後ＳＥＰ、ＸＵＥＰは選択されたＵＥＰである。Ｘｔｅｓｔから始まる故障後システム軌跡をシミュレートして評価する。故障後システム軌跡がＸｓｐｏｓｔに収束すれば、選択されたＵＥＰ、すなわち、ＸＵＥＰは境界特性を満足し、そうでなければ、満足しない。
【０２４０】
ステップ５．選択されたＵＥＰが境界特性を満足すれば、グループ全体のＵＥＰはオリジナルシステムの安定度境界上にあり、ステップ６に進む。選択されたＵＥＰのどれもが境界特性を満足しない場合、グループ全体のＵＥＰは安定度境界外にあり、ステップ７に進む。
【０２４１】
ステップ６．コヒーレント想定故障のグループ中の各対象想定故障の臨界エネルギ値は、計算されたＵＥＰにおけるエネルギ値であり、ステップ１１に進む。
【０２４２】
ステップ７．最大のＳＥＰ距離を有する選択されたＵＥＰを想定故障、例えば、Ｌｌに対するＸｌＵＥＰとし、また、最小のＳＥＰ距離を有する選択されたＵＥＰを想定故障、例えば、Ｌｓに対するＸｓＵＥＰとする。
【０２４３】
ステップ８．（ＢＣＵ出口点）
それぞれＸｌＵＥＰとＸｓＵＥＰとに対する対応するＢＣＵ出口点を計算する。これらをそれぞれＸｌｂｃｕとＸｓｂｃｕと示す。
【０２４４】
ステップ９．（臨界エネルギ）
Ｘｌｂｃｕにおけるエネルギ（Ｖｌｂｃｕと示す）を想定故障Ｌｓの臨界エネルギとして用いる。同様に、Ｘｓｂｃｕにおけるエネルギ（Ｖｓｂｃｕと示す）を想定故障Ｌｓの臨界エネルギとして用いる。
【０２４５】
ステップ１０．（他の想定故障の臨界エネルギ）
上記のコヒーレント想定故障のグループ中の想定故障、例えば、ＬｉのＳＥＰ距離をＳＥＰｉとする。すると、想定故障Ｌｉの臨界エネルギは次式のとおりである。
【０２４６】
Ｖｉｃｒ＝ａ×ＳＥＰｉ＋ｂ
ここで、
ａ＝（Ｖｌｂｃｕ−Ｖｓｂｃｕ）／（ＳＥＰｌ−ＳＥＰｓ）
ｂ＝（Ｖｓｂｃｕ×ＳＥＰｌ−Ｖｌｂｃｕ×ＳＥＰｓ）／（ＳＥＰｌ−ＳＥＰｓ）
ステップ１１．臨界エネルギに基づいて、直接安定度評価を実施し、コヒーレント想定故障のグループ中の各対象想定故障に対するエネルギマージンを計算する。
【０２４７】
５．８  改良型ＢＣＵ分類器
改良型ＢＣＵ分類器は、本発明の改良型ＢＣＵ分類器の上に構築されている［３］。この改良型ＢＣＵ分類器の主要な設計目標は、［３］で説明したオンライン動的想定故障選別の５つの要件をすべてが満足されることを確実なものとすることである。
【０２４８】
入力：動的信頼度評価のための関連データを持つ電力系統モデルと対象想定故障
出力：電力系統の想定故障に対する安全度評価とエネルギマージン値
この改良型ＢＣＵ分類器は、次のステップで実行される（図４を参照）。図４は、改良型ＢＣＵ分類器と、ＢＣＵ法補助時間域シミュレーションと、エネルギマージン計算エンジンとを連続的に介することによって想定故障の安定度分析とエネルギマージンの計算とを実行するための計算フローを示している。
【０２４９】
ステップ１．ＢＣＵ分類器Ｉ：想定故障をこの改良された分類器に送ると、プログラムは最初に、ネットワーク分離の有無という問題を検出する分類器であるＢＣＵ分類器Ｉをチェックする。ＢＣＵ分類器Ｉにより、電力系統が想定故障のためいくつかの部分に分離され、したがって、想定故障下にある電力系統はきわめて不安定であると考えられ、大きい負のエネルギマージン、例えば−９９９、が対象想定故障に割り当てられて、手順を停止するが、そうでなければ、対象想定故障はＢＣＵ分類器ＩＩに送られる。
【０２５０】
ステップ２．ＢＣＵ分類器ＩＩ−ＡとＢＣＵ分類器ＩＩ−Ｂ：対象想定故障下にある故障後ＳＥＰを計算する。故障後ＳＥＰが発見されなければ又は故障後ＳＥＰは発見されたが故障前ＳＥＰからはるかに隔たっていれば、分類器２−Ａにより、対象想定故障は非常に不安定であると評価されて、大きい負のエネルギマージン、例えば−９９９が、対象想定故障に割り当てられて手順が停止されるが；そうでない場合、故障後ＳＥＰが故障前ＳＥＰからあまり隔たっていなければ、分類器２−Ｂにより対象想定故障はやはり非常に不安定であると考えられるが、予備評価を検証するには時間域検証が必要である。それが実際不安定であれば、大きい負のエネルギマージン、例えば−９９９、を対象想定故障に割り当てて手順を停止するが、そうでなければ、対象想定故障はＢＣＵ分類器ＩＩＩに送られる。
【０２５１】
ステップ３．ＢＣＵ分類器ＩＩＩ：出口点を計算する。出口点が指定された期間内で発見されなくて、この指定された期間の終点におけるポテンシャルエネルギが正でない場合、ＢＣＵ分類器ＩＩＩにトリガーが掛けられて、対象想定故障は非常に安定であると評価され、次に、大きいエネルギマージン、例えば９９９、を対象想定故障に割り当てて手順を停止し、そうでなければ、対象想定故障はＢＣＵ分類器ＩＶに送られる。
【０２５２】
ステップ４．ＢＣＵ分類器ＩＶ：最小勾配点（ＭＧＰ）を計算する。射線調整の手順が失敗する又はＭＧＰポイントを指定されたステップ数以内で発見することが不可能である場合、ＢＣＵ分類器ＩＶにより、対象想定故障がＢＣＵ法補助の時間域シミュレーションエンジンに送られて、安定度評価とエネルギマージン計算が実行されて、手順が停止され、そうでなければ、対象想定故障はＢＣＵ分類器Ｖに送られる。
【０２５３】
ステップ５．ＢＣＵ分類器Ｖ：支配的ＵＥＰを計算する。支配的ＵＥＰを発見できない場合、ＢＣＵ分類器Ｖにトリガーが掛けられて、対象想定故障がＢＣＵ法補助の時間域シミュレーションエンジンに送られて、安定度評価とエネルギマージン計算が実行されて、手順が停止されるが、そうでなければ、対象想定故障はＢＣＵ分類器ＶＩに送られる。
【０２５４】
ステップ６．ＢＣＵ分類器ＶＩ：エネルギマージンを、計算された支配的ＵＥＰにおけるエネルギ値に基づいて計算する。エネルギマージンが正であれば、対象想定故障は安定であると評価され、そうでなければ、不安定であると評価される。これで、手順は完了する。
【０２５５】
改良型ＢＣＵ分類器のステップ６を修正して、次に説明するようにＢＣＵ法の過小評価性を改善することが可能である：
ステップ７．ＢＣＵ分類器ＶＩ：エネルギマージンを、計算された支配的ＵＥＰにおけるエネルギ値に基づいて計算する。エネルギマージンが負であれば、このケースは不安定であると評価されて、この評価を検証するために、時間域シミュレーションエンジンが必要とされる。この評価が時間域エンジンによって逆転されると、そのエネルギマージンを、ＢＣＵ法補助の時間域計算エンジンを用いて再計算する。エネルギマージンが正であれば、対応するエネルギマージンと安定度評価は不変のまま保持され、手順が停止される。
【０２５６】
上記の改良型ＢＣＵ分類器は、本発明の改良型ＢＣＵ分類器の上に構築されたものである［３］。実際、この改良された分類器の内でもＢＣＵ分類器Ｉは改良型ＢＣＵ分類器の内のＢＣＵ分類器Ｉと同じであり、他のＢＣＵ分類器は、改良型ＢＣＵ分類器の改良版である。改良型ＢＣＵ分類器で用いられるＢＣＵ法補助時間域シミュレーションエンジンは本発明で開発されたものである［３］。
【０２５７】
５．９  グループベースのＢＣＵ−ＤＳＡ
我々は、実用的な電力系統のオンライン動的信頼度評価とエネルギマージン計算のための新規なシステム、すなわちグループベースのＢＣＵ−ＤＳＡシステムを開発する。このグループベースのＢＣＵ−ＤＳＡシステムは次の３つのサブシステムから成っている：
（１）改良型ＢＣＵ分類器
（２）ＢＣＵ法補助時間域シミュレーションプログラム
（３）グループベースのＢＣＵ法
我々は、ＢＣＵ−ＤＳＡと、グループベースの検証手順と、グループベースのＢＣＵ出口点法とに基づいてグループベースのＢＣＵ−ＤＳＡシステムを設計する。Ｇ−ＢＣＵ−ＤＳＡシステム（バージョンＩ）のアーキテクチャを図５に示す。改良型ＢＣＵ分類器は、本発明の改良型ＢＣＵ分類器の上に構築されており［３］、ＢＣＵ法補助時間域シミュレーションプログラムは本発明で開発されたものである［３］。グループベースのＢＣＵ法は本発明で開発されている。改良型ＢＣＵ分類器の主要な設計目標は、［３］で説明したオンライン動的想定故障選別の５つの要件をすべて満足されることを確実なものとすることである。
【０２５８】
本発明は、実用的な電力系統のオンライン動的信頼度評価とエネルギマージン計算を実行する新規なシステム、すなわちグループベースのＢＣＵ−ＤＳＡシステムを提供する。グループベースのＢＣＵ−ＤＳＡのアーキテクチャは、次の３つの主要なコンポーネントから成っている：８つの改良型ＢＣＵ分類器から成っている動的想定故障分類プログラムと、ＢＣＵ法補助時間域シミュレーションプログラムと、グループベースのＢＣＵ法とである。新しいＤＳＡサイクルが保証されると、最初に、発生しうる想定故障のリストが、状態推定器とトポロジ的分析とで得られた情報と共に、潜在的に不安定であるか絶対的に安定であるかどちらかである想定故障を選別することを基本的機能として持つ改良型ＢＣＵ分類器に入力される。絶対的に安定であると分類された想定故障にはエネルギ関数値が割り当てられて、次に、さらなる安定度分析から除外される。潜在的に不安定であると識別された想定故障は次にＢＣＵ法補助時間域しミューレーションプログラムに送られて、さらなる安定度分析とエネルギマージン計算とを受ける。
【０２５９】
バージョンＩのグループベースのＢＣＵ−ＤＳＡシステムは次のステップで実行される。
【０２６０】
入力：動的信頼度評価用の関連データと発生しうる想定故障のリストとを持つ電力系統モデル
出力：安定度評価（すなわち、安定であるか不安定であるか）、エネルギマージン値及び、発生しうる想定故障のリストの各想定故障に対する推定の臨界故障除去時間
各想定故障を以下のステップで実行する：
ステップ０：発生しうる想定故障のリストのすべての想定故障を連続的に入力する。
【０２６１】
改良型ＢＣＵ分類器とＢＣＵ法補助時間域プログラム
ステップ１．ＢＣＵ分類器Ｉ：想定故障が改良型ＢＣＵ分類器に送られると、プログラムは最初に、ネットワーク孤立化という問題を検出する分類器であるＢＣＵ分類器Ｉにて判定を行なう。ＢＣＵ分類器Ｉにてネットワーク孤立と判定された場合、電力系統が想定故障のためいくつかの部分に分離され、したがって、想定故障下にある電力系統はきわめて不安定であると考えられ、大きい負のエネルギマージン、例えば−９９９、が対象想定故障ケースに対して割り当てられて、臨界故障除去時間の推定値がゼロとなって、ステップ０に進み、そうでなければ、対象想定故障ケースはＢＣＵ分類器ＩＩに送られる。
【０２６２】
ステップ２．ＢＣＵ分類器ＩＩ−ＡとＢＣＵ分類器ＩＩ−Ｂ：対象想定故障下にある故障後ＳＥＰを計算する。故障後ＳＥＰが発見されなければ又は故障後ＳＥＰは発見されたが故障前ＳＥＰからはるかに隔たっていれば、分類器２−Ａにトリガーが掛けられて、対象想定故障は非常に不安定であると評価されて、大きい負のエネルギマージン、例えば−９９９、が対象想定故障に割り当てられて、臨界故障時間の推定値がゼロになって、ステップ０に進み、そうでない場合、故障後ＳＥＰが故障前ＳＥＰからあまり隔たっていなければ、分類器２−Ｂにトリガーが掛けられて対象想定故障はやはり非常に不安定であると考えられるが、予備評価を検証するには時間域シミュレーションが必要である。それが実際不安定であれば、大きい負のエネルギマージン、例えば−９９９、を対象想定故障に割り当てて、臨界故障除去時間の推定値がゼロになってステップ０に進み、そうでなければ、対象想定故障はＢＣＵ分類器ＩＩＩに送られる。
【０２６３】
ステップ３．ＢＣＵ分類器ＩＩＩ：出口点を計算する。出口点が指定された期間内で発見されなくて、この指定された期間の終点におけるポテンシャルエネルギが正でない場合、ＢＣＵ分類器ＩＩＩにトリガーが掛けられて、対象想定故障は非常に安定であると評価され、次に、大きいエネルギマージン、例えば９９９、を対象想定故障に割り当てて、臨界故障除去時間の推定値は非常に大きいとされ、ステップ０に進み、そうでなければ、対象想定故障はＢＣＵ分類器ＩＶに送られる。
【０２６４】
ステップ４．ＢＣＵ分類器ＩＶ：最小勾配点（ＭＧＰ）を計算する。射線調整の手順が失敗する又はＭＧＰポイントを射線調整での指定されたステップ数以内で発見することが不可能である場合、ＢＣＵ分類器ＩＶにトリガーが掛けられて、対象想定故障がＢＣＵ法補助の時間域シミュレーションエンジンに送られて、安定度評価とエネルギマージン計算が実行されて、臨界故障除去時間をエネルギマージンとエネルギとに基づいて故障後システム軌跡に沿って出力して、ステップ０に進み、そうでなければ、対象想定故障はＢＣＵ分類器Ｖに送られる。
【０２６５】
ステップ５．ＢＣＵ分類器Ｖ：支配的ＵＥＰを計算する。支配的ＵＥＰを発見できない場合、ＢＣＵ分類器Ｖにトリガーが掛けられて、対象想定故障がＢＣＵ法補助の時間域シミュレーションエンジンに送られて、安定度評価とエネルギマージン計算が実行されて、臨界故障除去時間をエネルギマージンとエネルギとに基づいて故障後システム軌跡に沿って出力して、ステップ０に進み、そうでなければ、対象想定故障はＢＣＵ分類器ＶＩに送られる。
【０２６６】
グループベースのＢＣＵ法
ステップ６．このステップに送られてきた各対象想定故障の計算されたＵＥＰと故障後ＳＥＰとを記憶する。想定故障のリストが終了したかどうかチェックする。想定故障リストが終了していれば、次のステップに進み、そうでなければ、ステップ０に進む。
【０２６７】
ステップ７．（分類ステップ）各想定故障と関連する計算されたＵＥＰを、特性１と特性２とを満足するように、コヒーレント想定故障のグループに分類する。
【０２６８】
計算されたＵＥＰの各グループに対して、コヒーレント想定故障のすべてのグループが実行されるまで、次のステップを実行する：
ステップ８．（選択ステップ）グループ中の各想定故障のＳＥＰ距離が小さい、例えば、３度未満の場合、最大のＳＥＰ距離を持つＵＥＰが選択され、そうでなければ、最大のＳＥＰを持つＵＥＰと最小のＳＥＰ距離を持つＵＥＰとが選択される。
【０２６９】
ステップ９．（チェックステップ）選択されたＵＥＰの境界特性をチェックする。実際に実施する場合、我々は選択された各ＵＥＰ、例えば、ＸＵＥＰに対するテストベクトルを次式を用いて計算する。
【０２７０】
Ｘｔｅｓｔ＝Ｘｓｐｏｓｔ＋α（ＸＵＥＰ−Ｘｓｐｏｓｔ）
ここで、α＜１は正の数であって１．０に近い、例えば０．９９という値であり、ＸｓＰＯＳＴは想定故障の故障後ＳＥＰ、ＸＵＥＰは選択されたＵＥＰである。Ｘｔｅｓｔから始まる故障後システム軌跡をシミュレートして評価する。故障後システム軌跡がＸｓｐｏｓｔに収束すれば、選択されたＵＥＰ、すなわち、ＸＵＥＰは境界特性を満足し、そうでなければ、満足しない。
【０２７１】
ステップ１０．選択されたＵＥＰが境界特性を満足すれば、グループ全体のＵＥＰはオリジナルシステムの安定度境界上にあり、ステップ１１に進む。選択されたＵＥＰのどれもが境界特性を満足しない場合、グループ全体のＵＥＰは安定度境界外にあり、ステップ１２に進む。
【０２７２】
ステップ１１．コヒーレント想定故障のグループ中の各対象想定故障の臨界エネルギ値は、計算されたＵＥＰにおけるエネルギ値であり、ステップ１６に進む。
【０２７３】
ステップ１２．最大のＳＥＰ距離を有する選択されたＵＥＰを想定故障、例えば、Ｌｌに対するＸｌＵＥＰとし、また、最小のＳＥＰ距離を有する選択されたＵＥＰを想定故障、例えば、Ｌｓに対するＸｓＵＥＰとする。
【０２７４】
ステップ１３．（ＢＣＵ出口点）
対応するＸｌＵＥＰとＸｓＵＥＰをそれぞれ計算する。これらをそれぞれＸｌｂｃｕとＸｓｂｃｕと示す。
【０２７５】
ステップ１４．（臨界エネルギ）
Ｘｌｂｃｕにおけるエネルギ（Ｖｌｂｃｕと示す）を想定故障Ｌｓの臨界エネルギとして用いる。同様に、Ｘｓｂｃｕにおけるエネルギ（Ｖｓｂｃｕと示す）を想定故障Ｌｓの臨界エネルギとして用いる。
【０２７６】
ステップ１５．（他の想定故障の臨界エネルギ）
上記のコヒーレント想定故障のグループ中の想定故障、例えば、ＬｉのＳＥＰ距離をＳＥＰｉとする。すると、想定故障Ｌｉの臨界エネルギは次式のとおりである。
【０２７７】
Ｖｉｃｒ＝ａ×ＳＥＰｉ＋ｂ
ここで、
ａ＝（Ｖｌｂｃｕ−Ｖｓｂｃｕ）／（ＳＥＰｌ−ＳＥＰｓ）
ｂ＝（Ｖｓｂｃｕ×ＳＥＰｌ−Ｖｌｂｃｕ×ＳＥＰｓ）／（ＳＥＰｌ−ＳＥＰｓ）
ステップ１６．臨界エネルギに基づいて直接安定度評価を実施して、エネルギマージンを計算し、コヒーレント想定故障のグループ中の各対象想定故障に対して、エネルギマージンとエネルギとに基づいて臨界故障除去時間を故障後システム軌跡に沿って出力する。
【０２７８】
グループベースのＢＣＵ−ＤＳＡ（バージョンＩ）システムは、次の特性を持つ実用的電力系統の各想定故障に対してオンライン動的信頼度評価を実行するように設計されている：
［１］想定故障の過渡安定度エネルギマージンがゼロより大きい場合、想定故障後電力系統は、提供された（過渡安定度調査用の）データとモデルとに対して安定であると保証される。
【０２７９】
［２］想定故障の過渡安定度エネルギマージンがゼロ未満であり、グループベースのＢＣＵ法で計算されていない場合、想定故障後電力系統は、（過渡安定度調査用の）データとモデルとに対して不安定であると保証される。
【０２８０】
［３］想定故障の過渡安定度エネルギマージンがゼロ未満であり、グループベースのＢＣＵ法で計算されている場合、想定故障後電力系統は、（過渡安定度調査用の）データとモデルとに対して不安定であると保証される。
【０２８１】
特性［３］は、この特性を持つことを特徴とするような想定故障の安定度評価が過小評価であることを示している。しかしながら、本発明で開発されたＢＣＵ−ＤＳＡ［３］と比較すれば、グループベースのＢＣＵ−ＤＳＡシステム（バージョンＩ）はその特性［３］はかなり向上していて、過小な安定度評価をされている想定故障の数が減少しており、さらにそのうえ、グループベースのＢＣＵ−ＤＳＡシステム（バージョンＩ）は常に特性［１］と特性［２］とを有している。
【０２８２】
グループベースのＢＣＵ−ＤＳＡシステム（バージョンＩ）の特性［３］を改善するために、グループベースのＢＣＵ−ＤＳＡシステム（バージョンＩＩ）は、次の特性を持つ実用的な電力系統の各想定故障に対して過渡安定度エネルギ関数と臨界故障除去時間の推定値とを計算するように設計されている：
［１］想定故障の過渡安定度エネルギマージンがゼロより大きい場合、想定故障後電力系統は、提供された（過渡安定度調査用の）データとモデルとに対して安定であると保証される。
【０２８３】
［２］想定故障の過渡安定度エネルギマージンがゼロ未満である場合、想定故障後電力系統は、（過渡安定度調査用の）データとモデルとに対して不安定であると保証される。
【０２８４】
グループベースのＢＣＵ−ＤＳＡシステム（バージョンＩＩ）を、ステップ１６を次のように拡大する以外は、グループベースのＢＣＵ−ＤＳＡシステム（バージョンＩ）と同じステップ順序で実行する：
ステップ１６．臨界エネルギに基づいて直接安定度評価を実施して、エネルギマージンを計算し、コヒーレント想定故障のグループ中の各対象想定故障に対して、エネルギマージンとエネルギとに基づいて臨界故障除去時間を故障後システム軌跡に沿って出力する。
【０２８５】
ステップ１７．コヒーレント想定故障の各グループに対して、そのグループ中の想定故障が不安定であると評価されたらステップ１８に進み、そうでなければ、コヒーレント想定故障のグループがすべてチェックされるまで、次のコヒーレント想定故障グループをチェックする。
【０２８６】
ステップ１８．故障除去時間の時の状態を初期状態として、対応する故障後システムの時間域シミュレーションを実行する。故障後システム軌跡が不安定であると評価されたら、対応するエネルギマージンと、安定度評価と、臨界故障除去時間の推定値とが不変のまま保持され、そうでなければ、それは安定な想定故障であって、ＢＣＵ法補助時間域シミュレーションに送られて、エネルギマージンの計算と臨界故障除去時間の推定とが実行される。そして、ステップ１７に進む。
【０２８７】
グループベースのＢＣＵ−ＤＳＡシステム（バージョンＩＩ）は、ＢＣＵ分類器ＶＩＩの出力を、グループベースのＢＣＵ法で不安定であると分類された想定故障がすべてＢＣＵ法補助時間域エンジンに送られて不安定度がないか最終的に検証され、また、必要とあればエネルギマージンの再計算がなされるように修正されることによってグループベースのＢＣＵ−ＤＳＡシステム（バージョンＩ）の上に構築されている。
【０２８８】
我々は、２つの電力系統についてグループベースのＢＣＵ−ＤＳＡシステム（バージョンＩ）を評価した。これら２つのテストシステムは１１６マシン式テストシステムと１３４マシン式テストシステムである。１１６マシン式システムの故障除去時間は０．０９秒に設定されており、１３４マシン式システムの故障除去時間は０．０７秒に設定されている。我々は、動的信頼度評価と分類結果とを表１８に要約する。我々は次の観察を持っている。
【０２８９】
・グループ特性はすべてのテストシステムにおいて成立する。
【０２９０】
・発生しうる想定故障のリストが与えられたとき、コヒーレント想定故障のグループの数は、とりわけ、システムと、負荷付けと、想定故障とに依存する。
【０２９１】
・１１６マシン式システムと１３４マシン式システムとの想定故障の数はそれぞれ３１２と１３５とである。前者のテストシステムの場合の最大のコヒーレント想定故障グループは３０を超える想定故障を含み、１３４マシン式テストシステムの場合の最大のコヒーレント想定故障グループはたった６個の想定故障しか含まない。
【０２９２】
・たった１つの想定故障しか含まない単一メンバーグループがいくつか存在する。中でも、１３４マシン式テストシステムは単一メンバーグループを３つ有している。
【表１８】
2006223093.tif 000023
【０２９３】
単一メンバーグループを分析するという戦略は多重メンバーグループを分析する戦略とは異なる。境界距離を計算したり臨界エネルギを計算したりするために単一メンバーグループを完全にグループベースで分析する必要はない。我々は、ＢＣＵ法補助時間域法を単一メンバーグループに適用することを提案する。提案は以下の通り。
【０２９４】
・グループベースのＢＣＵ−ＤＳＡでは、グループベースのＢＣＵ法をコヒーレント想定故障の複数メンバーグループに適用する。
【０２９５】
・グループベースのＢＣＵ−ＤＳＡでは、ＢＣＵ法補助時間域法をコヒーレント想定故障の単一メンバーグループに適用する。
【０２９６】
我々は、［３］のＢＣＵ−ＤＳＡシステムとグループベースのＢＣＵ−ＤＳＡシステム（バージョンＩ）との間でこれら２つのシステムに関する数値比較を提示する。特に、我々は、次の問題点に焦点を合わせる：
・故障除去時間で安定な想定故障を不安定であると分類する問題点（故障除去時間の過小評価）
・故障除去時間で不安定な想定故障を安定であると分類する問題点（故障除去時間の誤った評価）
・臨界故障除去時間を過大評価する問題点
我々はグループベースのＢＣＵ法の代わりに、ＢＣＵ法補助法を用いて、コヒーレント想定故障の単一メンバーグループを取り扱うことを提案しているのであるから、我々は、表１９ではこのような想定故障は除外している。次の比較の表は、以下の点でグループベースのＢＣＵ−ＤＳＡはＢＣＵ−ＤＳＡシステムを進歩させたものであることを示している。
【表１９】
2006223093.tif 000024
【０２９７】
・安定度の過小評価の改善（すなわち、安定な想定故障を不安定であると誤分類する数の減少）
・不正確な安定度評価の解消（すなわち、不安定な想定故障を安定であると誤分類することがなくなる）
・臨界故障除去時間の過大評価の解消（各想定故障に対する臨界故障除去時間の過大推定がなくなる）
我々は数値例を用いて、グループベースのＢＣＵ−ＤＳＡシステムによる上記の進歩を説明する。１１６マシン式テストシステムの場合、ＢＣＵ−ＤＳＡは、合計で３１２の想定故障の内の３１０の想定故障の安定度を正確に分類し、２つの安定な想定故障を不安定であると過小評価して分類する。他方、グループベースのＢＣＵ−ＤＳＡシステムは、合計で３１２の想定故障の内の３１２の安定度を正確に分類して、過小評価な分類はなかった。臨界故障除去時間に関しては、ＢＣＵ−ＤＳＡシステムは、合計で３１２の想定故障の内の３０６に対して臨界故障除去時間を少し過小評価して推定し、６の想定故障に対しては臨界故障除去時間を過大に推定し、他方、グループベースのＢＣＵ−ＤＳＡシステムは、合計で３１２の想定故障の内の３１２の想定故障に対して臨界故障除去時間を少し過小評価して推定し、どの想定故障に対しても臨界故障除去時間を過大に推定はしない。
【０２９８】
我々は、臨界故障除去時間を過小評価して推定するという特性は、支配的ＵＥＰを正確なエネルギ関数と共に用いる限りいかなる支配的ＵＥＰベースのエネルギ関数にも伴うものであることを指摘する。
【０２９９】
１３４マシン式テストシステムの場合、ＢＣＵ−ＤＳＡは、合計で１３５の想定故障の内の１３２の想定故障の安定度を正確に分類し、３つの想定故障を過小評価して分類して不安定であるとする。他方、グループベースのＢＣＵ−ＤＳＡシステムは、合計で１３５の想定故障の内の１３４の想定故障の安定度を正確に分類し、過小評価な分類はたった１つである。臨界故障除去時間に関しては、ＢＣＵ−ＤＳＡシステムは、合計で１３５の想定故障の内の１３５の想定故障に対して臨界故障除去時間を少し過小評価して推定し、どの想定故障に対しても臨界故障除去時間を過大に推定しないが、他方、グループベースのＢＣＵ−ＤＳＡシステムは、合計で１３５の想定故障の内の１３５の想定故障に対して臨界故障除去時間を少し過小評価して推定し、どの想定故障に対しても臨界故障除去時間を過大には推定しない。
【０３００】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０３０１】
また、実施形態に記載した手法は、計算機（コンピュータ）に実行させることができるプログラム（ソフトウエア手段）として、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。
【０３０２】
６．  参考文献
[1]  H.D. Chiang, “On-Line Method for determining Power System Transient Stability,” U.S. patent, No. 5,483,462, Jan. 9, 1996.
[2]  H.D. Chiang and C.S. Wang, “Method for On-Line Dynamic Contingency Screening of Electric Power Systems”, U.S. patent, No. 5,719,787, Feb. 17, 1998.
[3]  H.D. Chiang, A. Kurita, H. Okamoto, R. Tanabe, Y. Tada, K. Koyanagi, and Y. Zhou, “Method and system for on-line dynamical screening of electric power system”, U.S. Patent Application Publication, Pub. No. US 2003/0200010 A1, Oct. 23, 2003
[4]  H.D. Chiang, F.F. Wu, and P.P. Varaiya, “Foundations of direct methods for power system transient stability analysis”, IEEE Trans. on Circuits and Systems, CAS-34(2): pp. 160--173, Feb. 1987.
【図面の簡単な説明】
【０３０３】
【図１】ＢＣＵ出口点の概念を示す図である。
【図２Ａ】境界距離と境界条件との概念を示す図である。
【図２Ｂ】境界距離と境界条件との概念を示す図である。
【図３】グループベースのＢＣＵ出口点法のフローチャートである。
【図４】改良型ＢＣＵ分類器と、ＢＣＵ法補助時間域シミュレーションと、エネルギマージン計算エンジンとを連続的に介することによって想定故障の安定度分析とエネルギマージンの計算とを実行するための計算フロー図である。
【図５】グループベースのＢＣＵ−ＤＳＡシステム（バージョンＩ）のフローチャートである。
【図１】
2006223093.tif 000025
【図２Ａ】
2006223093.tif 000026
【図２Ｂ】
2006223093.tif 000027
【図３】
2006223093.tif 000028
【図４】
2006223093.tif 000029
【図５】
2006223093.tif 000030